(57)【要約】本願の実施形態は、ＳＴＡのハンドオフプロセスにおけるスキャン待ち時間を大いに短縮し、ＳＴＡのローミングハンドオフのための時間を大いに短縮し、且つ、異周波数ネットワーキングにおいてＳＴＡの高速ローミングを実装するためのローミングハンドオフ方法を開示する。本願の実施形態の方法は、中央制御デバイスによって、ステーションの位置及び変位ベクトルに基づいて少なくとも１つの対象の遠隔アクセスユニットＲＲＵを決定することと、中央制御デバイスによって、少なくとも１つの対象のＲＲＵを含むチャネル切り替え命令を原のＲＲＵへ送信することと、中央制御デバイスによって、第１優先アクセス権リザベーション通知を、少なくとも１つの対象のＲＲＵのうちの１つである第１対象ＲＲＵへ送信することと、中央制御デバイスによって、第１対象ＲＲＵによって送信された第１接続要求を受信することと、中央制御デバイスによって、第１接続リターンコードを含む第１接続応答を第１対象ＲＲＵへ送信することとを含む。
2021500828.tif 000002
【特許請求の範囲】
【請求項１】
ローミングハンドオフ方法であって、
中央制御デバイスによって、ステーションの位置及び変位ベクトルに基づいて少なくとも１つの対象の遠隔アクセスユニットＲＲＵを決定することと、
前記中央制御デバイスによって、少なくとも１つの対象のＲＲＵを有するチャネル切り替え命令を原のＲＲＵへ送信することと、
前記中央制御デバイスによって、第１優先アクセス権リザベーション通知を、前記少なくとも１つの対象のＲＲＵのうちの１つである第１対象ＲＲＵへ送信することと、
前記中央制御デバイスによって、前記第１対象ＲＲＵによって送信された第１接続要求を受信することと、
前記中央制御デバイスによって、第１接続リターンコードを有する第１接続応答を前記第１対象ＲＲＵへ送信することと
を有する方法。
【請求項２】
前記チャネル切り替え命令は、推奨チャネルのリストを有し、該推奨チャネルのリストは、前記少なくとも１つの対象のＲＲＵを優先順に有する、
請求項１に記載の方法。
【請求項３】
当該方法は、
前記中央制御デバイスによって、該中央制御デバイスが前記第１接続要求を受信しない場合に、第２優先アクセス権リザベーション通知を前記原のＲＲＵへ送信することと、
前記中央制御デバイスによって、前記原のＲＲＵによって送信された第２接続要求を受信することと、
前記中央制御デバイスによって、第２接続リターンコードを有する第２接続応答を前記原のＲＲＵへ送信することと
を更に有する、
請求項１又は２に記載の方法。
【請求項４】
当該方法は、
前記中央制御デバイスによって、該中央制御デバイスが前記第２接続要求を受信しない場合に、第３優先アクセス権リザベーション通知を第２対象ＲＲＵへ送信することと、
前記中央制御デバイスによって、前記第２対象ＲＲＵによって送信された第３接続要求を受信することと、
前記中央制御デバイスによって、第３接続リターンコードを有する第３接続応答を前記第２対象ＲＲＵへ送信することと
を更に有する、
請求項３に記載の方法。
【請求項５】
前記中央制御デバイスによって、該中央制御デバイスが前記第１接続要求を受信しない場合に、第２優先アクセス権リザベーション通知を前記原のＲＲＵへ送信することは、
前記中央制御デバイスによって、該中央制御デバイスが前もって設定された存続期間内に前記第１接続要求を受信しない場合に、前記第２優先アクセス権リザベーション通知を前記原のＲＲＵへ送信することを有する、
請求項３に記載の方法。
【請求項６】
ローミングハンドオフ方法であって、
ステーションによって、原の遠隔アクセスユニットＲＲＵによって送信された、少なくとも１つの対象のＲＲＵを有するチャネル切り替え命令を受信することと、
前記ステーションによって、前記チャネル切り替え命令に基づいて原動作チャネルから第１推奨チャネルへ切り替えることであり、前記原のＲＲＵは前記原動作チャネルに対応し、前記第１推奨チャネルは前記第１対象ＲＲＵに対応する、前記切り替えることと、
前記ステーションによって、前記第１推奨チャネルを使用することによって、第１接続要求を、前記少なくとも１つの対象のＲＲＵのうちの１つである前記第１対象ＲＲＵへ送信することと、
前記ステーションによって、前記第１推奨チャネルを使用することによって、前記第１対象ＲＲＵによって送信された、第１接続リターンコードを有する第１接続応答を受信することと
を有する方法。
【請求項７】
前記チャネル切り替え命令は、推奨チャネルのリストを有し、該推奨チャネルのリストは、前記少なくとも１つの対象のＲＲＵを優先順に有する、
請求項６に記載の方法。
【請求項８】
当該方法は、
前記ステーションによって、該ステーションが、第１の前もって設定された存続期間内に、前記第１対象ＲＲＵによって送信された前記第１接続応答を受信しないか、あるいは、接続が失敗することを前記第１接続リターンコードが示す場合に、前記第１推奨チャネルから前記原動作チャネルへ切り替えることと、
前記ステーションによって、前記原動作チャネルを使用することによって、第２接続要求を前記原のＲＲＵへ送信することと、
前記ステーションによって、前記原動作チャネルを使用することによって、前記原のＲＲＵによって送信された、第２接続リターンコードを有する第２接続応答を受信することと
を更に有する、
請求項６又は７に記載の方法。
【請求項９】
当該方法は、
前記ステーションによって、該ステーションが、第２の前もって設定された存続期間内に、前記原のＲＲＵによって送信された前記第２接続応答を受信しないか、あるいは、接続が失敗することを前記第２接続リターンコードが示す場合に、前記原動作チャネルから、前記第２対象ＲＲＵに対応する第２推奨チャネルへ切り替えることと、
前記ステーションによって、前記第２推奨チャネルを使用することによって、第３接続要求を、前記少なくとも１つの対象のＲＲＵのうちの１つである前記第２対象ＲＲＵへ送信することと、
前記ステーションによって、前記第２推奨チャネルを使用することによって、前記第２対象ＲＲＵによって送信された、第３接続リターンコードを有する第３接続応答を受信することと
を更に有する、
請求項８に記載の方法。
【請求項１０】
ステーションの位置及び変位ベクトルに基づいて少なくとも１つの対象の遠隔アクセスユニットＲＲＵを決定するよう構成される処理モジュールと、
少なくとも１つの対象のＲＲＵを有するチャネル切り替え命令を原のＲＲＵへ送信し、第１優先アクセス権リザベーション通知を、前記少なくとも１つの対象のＲＲＵのうちの１つである第１対象ＲＲＵへ送信し、第１接続リターンコードを有する第１接続応答を前記第１対象ＲＲＵへ送信するよう構成される送信モジュールと、
前記第１対象ＲＲＵによって送信された第１接続要求を受信するよう構成される受信モジュールと
を有する中央制御デバイス。
【請求項１１】
前記チャネル切り替え命令は、推奨チャネルのリストを有し、該推奨チャネルのリストは、前記少なくとも１つの対象のＲＲＵを優先順に有する、
請求項１０に記載の中央制御デバイス。
【請求項１２】
前記送信モジュールは、当該中央制御デバイスが前記第１接続要求を受信しない場合に、第２優先アクセス権リザベーション通知を前記原のＲＲＵへ送信し、第２接続リターンコードを有する第２接続応答を前記原のＲＲＵへ送信するよう更に構成され、
受信モジュールは、前記原のＲＲＵによって送信された第２接続要求を受信するよう更に構成される、
請求項１０又は１１に記載の中央制御デバイス。
【請求項１３】
前記送信モジュールは、当該中央制御デバイスが前記第２接続要求を受信しない場合に、第３優先アクセス権リザベーション通知を第２対象ＲＲＵへ送信し、第３接続リターンコードを有する第３接続応答を前記第２対象ＲＲＵへ送信するよう更に構成され、
受信モジュールは、前記第２対象ＲＲＵによって送信された第３接続要求を受信するよう更に構成される、
請求項１２に記載の中央制御デバイス。
【請求項１４】
前記送信モジュールは、当該中央制御デバイスが前もって設定された存続期間内に前記第１接続要求を受信しない場合に、前記第２優先アクセス権リザベーション通知を前記原のＲＲＵへ送信するよう特に構成される、
請求項１２に記載の中央制御デバイス。
【請求項１５】
原の遠隔アクセスユニットＲＲＵによって送信された、少なくとも１つの対象のＲＲＵを有するチャネル切り替え命令を受信し、前記第１推奨チャネルを使用することによって、前記第１対象ＲＲＵによって送信された、第１接続リターンコードを有する第１接続応答を受信するよう構成される受信モジュールと、
前記チャネル切り替え命令に基づいて原動作チャネルから前記第１推奨チャネルへ切り替えるよう構成される処理モジュールであり、前記原のＲＲＵは前記原動作チャネルに対応し、前記第１推奨チャネルは前記第１対象ＲＲＵに対応する、前記処理モジュールと、
前記第１推奨チャネルを使用することによって、第１接続要求を、前記少なくとも１つの対象のＲＲＵのうちの１つである前記第１対象ＲＲＵへ送信するよう構成される送信モジュールと
を有するステーション。
【請求項１６】
前記チャネル切り替え命令は、推奨チャネルのリストを有し、該推奨チャネルのリストは、前記少なくとも１つの対象のＲＲＵを優先順に有する、
請求項１５に記載のステーション。
【請求項１７】
前記処理モジュールは、当該ステーションが、第１の前もって設定された存続期間内に、前記第１対象ＲＲＵによって送信された前記第１接続応答を受信しないか、あるいは、接続が失敗することを前記第１接続リターンコードが示す場合に、前記第１推奨チャネルから前記原動作チャネルへ切り替えるよう更に構成され、
前記送信モジュールは、前記原動作チャネルを使用することによって、第２接続要求を前記原のＲＲＵへ送信するよう更に構成され、
前記受信モジュールは、前記原動作チャネルを使用することによって、前記原のＲＲＵによって送信された、第２接続リターンコードを有する第２接続応答を受信するよう更に構成される、
請求項１５又は１６に記載のステーション。
【請求項１８】
前記処理モジュールは、当該ステーションが、第２の前もって設定された存続期間内に、前記原のＲＲＵによって送信された前記第２接続応答を受信しないか、あるいは、接続が失敗することを前記第２接続リターンコードが示す場合に、前記原動作チャネルから、前記第２対象ＲＲＵに対応する第２推奨チャネルへ切り替えるよう更に構成され、
前記送信モジュールは、前記第２推奨チャネルを使用することによって、第３接続要求を、前記少なくとも１つの対象のＲＲＵのうちの１つである前記第２対象ＲＲＵへ送信するよう更に構成され、
前記受信モジュールは、前記第２推奨チャネルを使用することによって、前記第２対象ＲＲＵによって送信された、第３接続リターンコードを有する第３接続応答を受信するよう更に構成される、
請求項１７に記載のステーション。
【請求項１９】
中央制御デバイスであって、
当該中央制御デバイス以外の他の装置と通信するよう構成されるトランシーバと、
コンピュータ実行可能命令を記憶するよう構成されるメモリと、
バスを使用することによって前記メモリ及び前記トランシーバへ接続される１つ以上のプロセッサと
を有し、
前記プロセッサが前記メモリに記憶されている前記コンピュータ実行可能命令を実行する場合に、当該中央制御デバイスは、請求項１乃至５のうちいずれか一項に記載の方法を実行する、
中央制御デバイス。
【請求項２０】
ステーションであって、
当該ステーション以外の他の装置と通信するよう構成されるトランシーバと、
コンピュータ実行可能命令を記憶するよう構成されるメモリと、
バスを使用することによって前記メモリ及び前記トランシーバへ接続される１つ以上のプロセッサと
を有し、
前記プロセッサが前記メモリに記憶されている前記コンピュータ実行可能命令を実行する場合に、当該ステーションは、請求項６乃至９のうちいずれか一項に記載の方法を実行する、
ステーション。
【請求項２１】
命令を有し、該命令がコンピュータで実行される場合に、該コンピュータが請求項１乃至９のうちいずれか一項に記載の方法を実行する、
コンピュータ可読記憶媒体。
【請求項２２】
命令を有するコンピュータプログラム製品であって、
製品がコンピュータで実行される場合に、該コンピュータが請求項１乃至９のうちいずれか一項に記載の方法を実行する、
コンピュータプログラム製品。
【発明の詳細な説明】
【技術分野】
【０００１】
本願は、通信分野に、特に、ローミングハンドオフ方法、中央制御デバイス、及びステーションに関する。
【背景技術】
【０００２】
異周波数ネットワーキングは、通常は、同一チャネル干渉を緩和するように、無線ローカル・エリア・ネットワーク（wireless  local  area  networks，ＷＬＡＮ）における密度シナリオでのアクセスのために使用される。異なるＷＬＡＮアクセス・ポイントの間のローミングハンドオフを行う場合に、ステーション（station，ＳＴＡ）は、チャネルを再スキャンし、新しいアクセス・ポイントにアクセスする必要があり、過度に長いアクセス時間を生じさせる。これは、通信中断を引き起こし、ユーザ経験に影響を及ぼすことがある。
【０００３】
図１は、ＳＴＡによって実行されるローミングハンドオフの典型的なシグナリングフローチャートである。ＳＴＡのローミングハンドオフプロセスは、３つのフェーズ、すなわち、無線アクセス・ポイント（access  point，ＡＰ）のスキャニング及び再接続（探査遅延）のフェーズ、認証（authentication）フェーズ、並びに再関連付け（reassociation）フェーズを含み、ＳＴＡは、探査遅延フェーズにおいて各チャネルで接続要求を開始し、信号品質が最良であるＡＰを選択してその後の認証要求及び再関連付け要求を開始する。ローミングハンドオフ全体は２００ｍｓから３００ｍｓ又はそれ以上を必要とし、チャネルスキャンプロセスは、８０％から９０％の時間を占める。各フェーズの遅延に関する具体的な統計値は図２に示されており、図２は、ハンドオフフェーズの遅延に関する統計値の概略図である。１つのデータパケットがボイスサービスでは２０ｍｓごとに現れ、１つのフレームがビデオサービスでは１７ｍｓごとに現れるので、ハンドオフプロセスにおけるパケットは、ローミングハンドオフプロセスにおけるＳＴＡのシグナリング相互作用遅延に起因して失われることがあり、長時間のローミングハンドオフは、サービス中断を引き起こす。従って、ローミングハンドオフにおいてサービスが影響を及ぼされないことを確かにするために、異周波数ネットワーキングにおけるＳＴＡの高速ローミングハンドオフが必要とされる。
【発明の概要】
【０００４】
本願の実施形態は、ＳＴＡのハンドオフプロセスにおけるスキャン待ち時間を大いに短縮し、ＳＴＡのローミングハンドオフのための時間を大いに短縮し、且つ、異周波数ネットワーキングにおいてＳＴＡの高速ローミングを実装するためのローミングハンドオフ方法を提供する。
【０００５】
従って、本願の実施形態の第１の態様は、ローミングハンドオフ方法を提供し、方法は、中央制御デバイスによって、ステーションの位置及び変位ベクトルに基づいて少なくとも１つの対象の遠隔アクセスユニットＲＲＵを決定することと、中央制御デバイスによって、少なくとも１つの対象のＲＲＵを含むチャネル切り替え命令を原のＲＲＵへ送信することと、中央制御デバイスによって、第１優先アクセス権リザベーション通知を、少なくとも１つの対象のＲＲＵのうちの１つである第１対象ＲＲＵへ送信することとを含んでよい。中央制御デバイスによってチャネル切り替え命令を原のＲＲＵへ送信すること、及び中央制御デバイスによって第１優先アクセス権リザベーション通知を第１対象ＲＲＵへ送信することの時間順序は、制限されないことが理解され得る。方法は更に、中央制御デバイスによって、第１対象ＲＲＵによって送信された第１接続要求を受信することと、中央制御デバイスによって、第１接続リターンコードを含む第１接続応答を第１対象ＲＲＵへ送信することとを含んでよい。
【０００６】
本願のこの実施形態で、中央制御デバイスは、推奨される対象の遠隔アクセスユニットをＳＴＡへ送信し、そして、ＳＴＡのための優先アクセス権をリザーブし、ＳＴＡからの接続要求に優先的に応答し、且つ、ＳＴＡに対して優先的にアクセスを提供するように第１対象遠隔アクセスユニットを制御する。このようにして、ＳＴＡのハンドオフプロセスにおけるスキャン待ち時間は大いに短縮され得、ＳＴＡのローミングハンドオフのための時間は大いに削減され得、且つ、異周波数ネットワーキングにおけるＳＴＡの高速ローミングは実装され得る。
【０００７】
任意に、本願のいくつかの実施形態で、チャネル切り替え命令は、推奨チャネルのリストを含み、推奨チャネルのリストは、少なくとも１つの対象のＲＲＵを優先順に含む。チャネル切り替え命令は、対象である１つＲＲＵの指示情報を運んでよく、あるいは、推奨チャネルのリストの指示情報を運んでもよいことが理解され得る。第１対象ＲＲＵは、少なくとも１つの対象のＲＲＵの中でもっとも高い優先度を有するＲＲＵである。
【０００８】
任意に、本願のいくつかの実施形態で、方法は、中央制御デバイスによって、中央制御デバイスが第１接続要求を受信しない場合に、第２優先アクセス権リザベーション通知を原のＲＲＵへ送信することと、中央制御デバイスによって、原のＲＲＵによって送信された第２接続要求を受信することと、中央制御デバイスによって、第２接続リターンコードを含む第２接続応答を原のＲＲＵへ送信することとを更に含んでよい。
【０００９】
本願のこの実施形態で、ＳＴＡは、ハンドオフアクセスが失敗した後に、原動作チャネルへ能動的に切り替え直し、中央制御デバイスは、ＳＴＡのための優先アクセス権をリザーブするように原の遠隔アクセスユニットに指示する。これは、ハンドオフ失敗後のＳＴＡのための任意の実施である。その後に、中央制御デバイスは、ハンドオフ決定結果に基づき解決法のハンドオフプロシージャを再開する。
【００１０】
任意に、本願のいくつかの実施形態で、方法は、中央制御デバイスによって、中央制御デバイスが第２接続要求を受信しない場合に、第３優先アクセス権リザベーション通知を第２対象ＲＲＵへ送信することと、中央制御デバイスによって、第２対象ＲＲＵによって送信された第３接続要求を受信することと、中央制御デバイスによって、第３接続リターンコードを含む第３接続応答を前記第２対象ＲＲＵへ送信することとを更に含んでよい。
【００１１】
本願のこの実施形態で、ＳＴＡは、原動作チャネルでハンドオフアクセスが失敗した後に、原動作チャネルから第３動作チャネルへ切り替えてよく、中央制御デバイスは、ＳＴＡのための優先アクセス権をリザーブするように原の遠隔アクセスユニットに指示する。これは、ハンドオフ失敗後のＳＴＡのための任意の実施であり、本願の技術的解決法の実現可能性を改善する。
【００１２】
任意に、本願のいくつかの実施形態で、中央制御デバイスによって、中央制御デバイスが第１接続要求を受信しない場合に、第２優先アクセス権リザベーション通知を原のＲＲＵへ送信することは、中央制御デバイスによって、中央制御デバイスが前もって設定された存続期間内に第１接続要求を受信しない場合に、第２優先アクセス権リザベーション通知を原のＲＲＵへ送信することを含んでよい。
【００１３】
本願の実施形態の第２の態様は、ローミングハンドオフ方法を提供し、方法は、ステーションによって、原の遠隔アクセスユニットＲＲＵによって送信された、少なくとも１つの対象のＲＲＵを有するチャネル切り替え命令を受信することと、ステーションによって、チャネル切り替え命令に基づいて原動作チャネルから第１推奨チャネルへ切り替えることであり、原のＲＲＵは原動作チャネルに対応し、第１推奨チャネルは第１対象ＲＲＵに対応する、切り替えることと、ステーションによって、第１推奨チャネルを使用することによって、第１接続要求を、少なくとも１つの対象のＲＲＵのうちの１つである第１対象ＲＲＵへ送信することと、ステーションによって、第１推奨チャネルを使用することによって、第１対象ＲＲＵによって送信された、第１接続リターンコードを含む第１接続応答を受信することとを含んでよい。
【００１４】
本願のこの実施形態で、ＳＴＡは、中央制御デバイスによって送信された推奨される対象の遠隔アクセスユニットを受信し、中央制御デバイスは、ＳＴＡのための優先アクセス権をリザーブし、ＳＴＡからの接続要求に優先的に応答し、且つ、ＳＴＡに対して優先的にアクセスを提供するように第１対象遠隔アクセスユニットを制御する。このようにして、ＳＴＡのハンドオフプロセスにおけるスキャン待ち時間は大いに短縮され得、ＳＴＡのローミングハンドオフのための時間は大いに削減され得、且つ、異周波数ネットワーキングにおけるＳＴＡの高速ローミングは実装され得る。
【００１５】
任意に、本願のいくつかの実施形態で、チャネル切り替え命令は、推奨チャネルのリストを含み、推奨チャネルのリストは、少なくとも１つの対象のＲＲＵを優先順に含む。チャネル切り替え命令は、１つの対象ＲＲＵの指示情報を運んでよく、あるいは、推奨チャネルのリストの指示情報を運んでもよいことが理解され得る。第１対象ＲＲＵは、少なくとも１つの対象のＲＲＵの中でもっとも高い優先度を有するＲＲＵである。
【００１６】
任意に、本願のいくつかの実施形態で、方法は、ステーションによって、ステーションが、第１の前もって設定された存続期間内に、第１対象ＲＲＵによって送信された前記第１接続応答を受信しないか、あるいは、接続が失敗することを第１接続リターンコードが示す場合に、第１推奨チャネルから原動作チャネルへ切り替えることと、ステーションによって、原動作チャネルを使用することによって、第２接続要求を原のＲＲＵへ送信することと、ステーションによって、原動作チャネルを使用することによって、原のＲＲＵによって送信された、第２接続リターンコードを含む第２接続応答を受信することとを更に含んでよい。
【００１７】
本願のこの実施形態で、ＳＴＡは、ハンドオフアクセスが失敗した後に、原動作チャネルへ能動的に切り替え直し、中央制御デバイスは、ＳＴＡのための優先アクセス権をリザーブするように原の遠隔アクセスユニットに指示する。これは、ハンドオフ失敗後のＳＴＡのための任意の実施である。その後に、中央制御デバイスは、ハンドオフ決定結果に基づきこの解決法のハンドオフプロシージャを再開する。
【００１８】
任意に、本願のいくつかの実施形態で、方法は、ステーションによって、ステーションが、第２の前もって設定された存続期間内に、原のＲＲＵによって送信された第２接続応答を受信しないか、あるいは、接続が失敗することを第２接続リターンコードが示す場合に、原動作チャネルから、第２対象ＲＲＵに対応する第２推奨チャネルへ切り替えることと、ステーションによって、第２推奨チャネルを使用することによって、第３接続要求を、少なくとも１つの対象のＲＲＵのうちの１つである第２対象ＲＲＵへ送信することと、ステーションによって、第２推奨チャネルを使用することによって、第２対象ＲＲＵによって送信された、第３接続リターンコードを含む第３接続応答を受信することとを更に含んでよい。
【００１９】
本願のこの実施形態で、ＳＴＡは、原動作チャネルでハンドオフアクセスが失敗した後に、原動作チャネルから第３動作チャネルへ切り替えてよく、中央制御デバイスは、ＳＴＡのための優先アクセス権をリザーブするように原の遠隔アクセスユニットに指示する。これは、ハンドオフ失敗後のＳＴＡのための任意の実施であり、本願の技術的解決法の実現可能性を改善する。
【００２０】
本願の実施形態の更なる他の態様は、ローミングハンドオフ方法を提供し、方法は、遠隔アクセスユニットＲＲＵによって、中央制御デバイスによって送信された第１優先アクセス権リザベーション通知を受信することと、ＲＲＵによって、第１推奨チャネルを使用することによって、ステーションによって送信された第１接続要求を受信することと、ＲＲＵによって、優先アクセス権リザベーション通知に基づき第１接続要求を中央制御デバイスへ送信することと、ＲＲＵによって、中央制御デバイスによって送信された、第１接続リターンコードを含む第１接続応答を受信することと、前記ＲＲＵによって、前記第１推奨チャネルを使用することによって、第１接続応答を前記ステーションへ送信することとを含んでよい。
【００２１】
本願の更なる他の実施形態は、ＳＴＡのハンドオフプロセスにおけるスキャン待ち時間を大いに短縮する機能、ＳＴＡのローミングハンドオフのための時間を大いに短縮する機能、及び異周波数ネットワーキングにおけるＳＴＡの高速ローミングを実装する機能を備える中央制御デバイスを提供する。機能は、ハードウェアによって実施されてよく、あるいは、対応するソフトウェアをハードウェアが実行することによって実施されてもよい。ハードウェア又はソフトウェアは、上記の機能に対応する１つ以上のモジュールを含む。
【００２２】
本願の更なる他の実施形態は、ＳＴＡのハンドオフプロセスにおけるスキャン待ち時間を大いに短縮する機能、ＳＴＡのローミングハンドオフのための時間を大いに短縮する機能、及び異周波数ネットワーキングにおけるＳＴＡの高速ローミングを実装する機能を備えるステーションを提供する。機能は、ハードウェアによって実施されてよく、あるいは、対応するソフトウェアをハードウェアが実行することによって実施されてもよい。ハードウェア又はソフトウェアは、上記の機能に対応する１つ以上のモジュールを含む。
【００２３】
本願の実施形態の更なる他の態様は、中央制御デバイスを提供し、中央制御デバイスは、中央制御デバイス以外の他の装置と通信するよう構成されるトランシーバと、コンピュータ実行可能命令を記憶するよう構成されるメモリと、バスを使用することによってメモリ及びトランシーバへ接続される１つ以上のプロセッサとを含んでよい。プロセッサは、メモリに記憶されているコンピュータ実行可能命令及び１つ以上のコンピュータプログラムを実行するよう構成され、１つ以上のコンピュータプログラムは命令を含み、命令が中央制御デバイスによって実行される場合に、中央制御デバイスは、第１の態様又は第１の態様のいずれかの任意の実施に従う方法を実行する。
【００２４】
本願の実施形態の更なる他の態様は、ステーションを提供し、ステーションは、ステーション以外の他の装置と通信するよう構成されるトランシーバと、コンピュータ実行可能命令を記憶するよう構成されるメモリと、バスを使用することによってメモリ及びトランシーバへ接続される１つ以上のプロセッサとを含んでよい。プロセッサは、メモリに記憶されているコンピュータ実行可能命令及び１つ以上のコンピュータプログラムを実行するよう構成され、１つ以上のコンピュータプログラムは命令を含み、命令がステーションによって実行される場合に、ステーションは、第２の態様又は第２の態様のいずれかの任意の実施に従う方法を実行する。
【００２５】
本願の実施形態の更なる他の態様は、無線通信装置を提供し、無線通信装置は、少なくとも１つのプロセッサ、メモリ、トランシーバ回路、及びバスシステムを含んでよく、プロセッサ、メモリ、及びトランシーバ回路は、バスシステムを使用することによって結合され、無線通信装置は、トランシーバ回路を使用することによって遠隔アクセスユニットと通信し、メモリは、プログラム命令を記憶するよう構成され、少なくとも１つのプロセッサは、メモリに記憶されているプログラム命令を実行するよう構成され、それにより、無線通信装置は、本願の実施形態の第１の態様に従う方法において中央制御デバイスによって実行される動作を実行する。無線通信装置は、中央制御デバイスであってよく、あるいは、中央制御デバイスに適用され、対応する機能を実行するチップであってもよい。
【００２６】
本願の実施形態の更なる他の態様は、無線通信装置を提供し、無線通信装置は、少なくとも１つのプロセッサ、メモリ、トランシーバ回路、及びバスシステムを含んでよく、プロセッサ、メモリ、及びトランシーバ回路は、バスシステムを使用することによって結合され、無線通信装置は、トランシーバ回路を使用することによって遠隔アクセスユニットと通信し、メモリは、プログラム命令を記憶するよう構成され、少なくとも１つのプロセッサは、メモリに記憶されているプログラム命令を実行するよう構成され、それにより、無線通信装置は、本願の実施形態の第２の態様に従う方法においてステーションによって実行される動作を実行する。無線通信装置は、ステーションであってよく、あるいは、ステーションに適用され、対応する機能を実行するチップであってもよい。
【００２７】
本願の実施形態の更なる他の態様は、記憶媒体を提供する。原則的に本願の技術的解決法は、あるいは、先行技術、又は技術的解決法の全て若しくは一部に寄与する部分は、ソフトウェア製品の形で実施されてよく、コンピュータソフトウェア製品は、記憶媒体に記憶され、上記の中央制御デバイス又はステーションによって使用されるコンピュータソフトウェア命令を記憶するよう構成され、中央制御デバイス又はステーションが上記の態様を実行するために設計されたプログラムを含むことが留意されるべきである。
【００２８】
記憶媒体は、プログラムコードを記憶することができる、ＵＳＢフラッシュドライブ、リムーバブルハードディスク、リード・オンリー・メモリ（read-only  memory，ＲＯＭ）、ランダム・アクセス・メモリ（random  access  memory，ＲＡＭ）、磁気ディスク、又は光ディスクのような如何なる媒体も含む。
【００２９】
本願の実施形態の更なる他の態様は、命令を含むコンピュータプログラム製品を提供し、コンピュータプログラム製品がコンピュータで実行される場合に、コンピュータは、上記の態様又は上記の態様のいずれかの任意の実施に従う方法を実行する。
【００３０】
本願の実施形態における技術的解決法についてより明りょうに記載するために、以下は、実施形態及び先行技術を記載するために必要とされる添付の図面について簡単に説明する。明らかに、続く説明中の添付の図面は、本願のほんのいくつかの実施形態を示すにすぎず、他の図面が、それらの添付の図面から導出され得る。
【図面の簡単な説明】
【００３１】
【図１】ＳＴＡによって実行されるローミングハンドオフの典型的なシグナリングフローチャートである。
【図２】各ハンドオフフェーズの遅延に関する統計値の概略図である。
【図３】バックグラウンド・プレスキャンの略フローチャートである。
【図４】ＷＬＡＮネットワーク内のチャネル分布の概略図である。
【図５】本願の実施形態が適用されるシステムアーキテクチャの図である。
【図６】本願の実施形態に従うチャネル切り替え方法の実施形態の概略図である。
【図７】本願の実施形態に従うチャネル切り替え方法の実施形態の概略図である。
【図８】本願の実施形態に従う中央制御デバイスの実施形態の概略図である。
【図９】本願の実施形態に従うステーションの実施形態の概略図である。
【図１０】本願の実施形態に従う中央制御デバイスの実施形態の概略図である。
【図１１】本願の実施形態に従うステーションの実施形態の概略図である。
【発明を実施するための形態】
【００３２】
本願の実施形態は、ＳＴＡのハンドオフプロセスにおけるスキャン待ち時間を大いに短縮し、ＳＴＡのローミングハンドオフのための時間を大いに短縮し、且つ、異周波数ネットワーキングにおいてＳＴＡの高速ローミングを実装するためのローミングハンドオフ方法を提供する。
【００３３】
本願における技術的解決法を当業者により良く理解させるよう、以下は、本願の実施形態における添付の図面を参照して、本願の実施形態における技術的解決法について記載する。明らかに、記載される実施形態は、本願の実施形態のほんの一部にすぎず、全てではない。本願に基づく全ての実施形態は、本願の保護範囲の中にあるはずである。
【００３４】
実施において、バックグラウンド・プレスキャン（background  pre-scan）方法がローミングハンドオフにおいて使用される。図３は、バックグラウンド・プレスキャンの略フローチャートである。具体的に言えば、ハンドオフ閾値よりも大きいプレスキャン閾値が設定され、そして、信号品質がプレスキャン閾値まで下がる場合に、ＳＴＡは能動的にバックグラウンド・プレスキャンを実行する。バックグラウンド・プレスキャンが終了した後、信号品質は低下を再び始める。信号品質がハンドオフ閾値まで下がる場合に、アクティブスキャニングプロセスが、バックグラウンド・プレスキャンから取得されたチャネルを使用することによって開始される。
【００３５】
しかし、長期のバックグラウンド・プレスキャンは、通常の通信に深刻な影響を与える。通常の通信に影響を与えることを回避するために、バックグラウンド・プレスキャンは、１０ｍｓ内に完了される必要がある。軽負荷条件且つ非高密度条件では、技術を使用する可能性がある、ＳＴＡの周りのＡＰは、少ない。しかし、高密度環境では、ＳＴＡの周りのＡＰ及びチャネルの数が比較的に多いので、ＳＴＡが探査応答（probe  response）フレームの９９％超を受信可能であることを確かにするためには、通常、５０ｍｓよりも長い時間が必要とされる。その結果、高密度環境での技術の使用は、通常の通信に深刻な影響を与える。
【００３６】
他の実施では、無線ローカル・エリア・ネットワークにおけるスペクトル測定の仕様は、８０２．１１ｋプロトコル規格で定められている。策定された仕様は、スペクトル資源のインテリジェントな使用のための無線ローカル・エリア・ネットワークの要件を反映する。
【００３７】
ＳＴＡ及びＡＰは、隣接するＡＰに関する情報を交換する。ローミング中、ＳＴＡは、隣接するＡＰが位置しているチャネルのみをスキャンし、それによって、不必要なチャネルスキャンは減り、且つ、ＡＰの動作チャネルを検出するための時間は減る。図４は、ＷＬＡＮネットワーク内のチャネル分布の概略図である。
【００３８】
高密度シナリオにおいて、６つ以上の隣接するＡＰが存在し、アクティブスキャンの平均スキャニング時間は３０ｍｓであり、パッシブスキャンの平均スキャニング時間は３００ｍｓである。アクティブスキャン及びパッシブスキャンの最長時間は夫々、６０ｍｓ及び６００ｍｓである。この方法の考えは、チャネルスキャニング時間を減らすために、２つの連続したスキャンの間のインターバルを大いに短縮することである。例えば、表１にリストアップされている１０ｍｓは、実際にはほぼ最短時間であり、最短時間は、２つの連続したスキャンの間の比較的に小さいインターバルによりアクティブスキャンにおいて減らされ得ない。学究的環境での研究によれば、１０ｍｓの時間及び１５ｍｓの時間が、軽負荷シナリオ且つ非高密度シナリオでのアクティブスキャン及びパッシブスキャンのために夫々推奨されている。高密度シナリオでは、チャネル資源は占有されているので、５０ｍｓよりも長いスキャン待ち時間が、探査応答フレームの受信を確かにするために必要とされる。
【表１】
2021500828.tif 000003
【００３９】
図５は、本願の実施形態が適用されるシステムのアーキテクチャ図である。本願は、異周波数ネットワーキングにおけるＳＴＡのローミングハンドオフのための時間が過度に長いという問題を解決する。本願の技術的解決法によれば、異周波数ネットワーキングにおけるローミングハンドオフは、比較的に短い時間内で実施され得る。
【００４０】
図５は、中央制御デバイス及び遠隔アクセスユニットを含む、異周波数ネットワーキングにおいて高速ローミングを実装するためのシステムを示す。中央制御デバイスは、複数の遠隔アクセスユニットへ接続され、中央制御デバイスは、遠隔アクセスユニットの管理、遠隔アクセスユニットのためのコンフィグレーション配信、並びに端末の再関連付け及び認証に関与する。遠隔アクセスユニットは、ＳＴＡへのＷＬＡＮ接続を直接確立し、ＷＬＡＮパケットをＳＴＡへ送信し、ＳＴＡによって送信されたＷＬＡＮパケットを受信する。中央制御デバイスは、少なくとも遠隔アクセスユニット管理モジュール、データ転送モジュール、及びＷＬＡＮ媒体アクセス制御（medium  access  control，ＭＡＣ）処理モジュールを含む必要がある。遠隔アクセスユニットは、少なくともワイヤレス・フィデリティ（wireless  fidelity，ＷＩＦＩ）ドライバモジュール及びシンプル転送モジュールを含む必要がある。
【００４１】
本願の中心となる装置は、ＷＬＡＮ  ＡＣ、中央ＡＰ、及び遠隔アクセスユニット／遠隔ラジオユニット（remote  radio  unit，ＲＲＵ）に場合により関連があるＷＬＡＮ  ＡＰ／ラジオコントローラ（access  controller，ＡＣ）である。中央制御デバイスが、ＲＲＵにおけるＳＴＡのアクセス挙動又はローミングハンドオフ挙動を制御するために使用され、異周波数ネットワーキングにおける高速ローミングハンドオフが、図５に示されるシステムアーキテクチャを使用することによって実装される場合に、ソフトウェア再構成（特定のＡＰが、中央制御機能を備えたノードで再構成される）及びハードウェア再構成（中央制御機能を備えているスイッチ又はルータのようなデバイスが、ネットワーク内に配置される）の両方が、本願には含まれ得る。本願の中央制御デバイスは、中央制御ノードの機能を備えているＡＣ、中央ＡＰ、又はＡＰであってよく、あるいは、サーバ、スイッチ、又はルータであってよく、あるいは、他のデバイスであってもよい。これは特に制限されない。
【００４２】
本願のこの実施形態で、中央制御デバイスは、ＳＴＡの位置及び変位ベクトルに基づいてＳＴＡのための適切な対象の遠隔アクセスユニットを選択し、対象の遠隔アクセスユニットの指示情報を運ぶチャネル切り替え命令をＳＴＡへ送信し、ＳＴＡのための優先アクセス権をリザーブするように対象の遠隔アクセスユニットに指示し、すなわち、対象の遠隔アクセスユニットは、応答メッセージによりＳＴＡのアクセス要求に対して優先的に応答する。ＳＴＡは、ハンドオフアクセスが失敗した後に、原動作チャネルへ能動的に切り替え直し、ＳＴＡのための優先アクセス権をリザーブするように原の遠隔アクセスユニットに指示する。ＳＴＡが原動作チャネルへ切り替え直すことができない場合には、中央制御デバイスが、ＳＴＡのための優先アクセス権をリザーブするように全ての遠隔アクセスユニットに指示してもよい。
【００４３】
先行技術と比較して、本願のこの実施形態では、中央制御デバイスは、適切な対象の遠隔アクセスユニットに関する、チャネル切り替えのための指示情報をＳＴＡへ送信し、そして、ＳＴＡのための優先アクセス権をリザーブし且つＳＴＡからの接続要求に優先的に応答するように対象の遠隔アクセスユニットに指示する。このようにして、ＳＴＡのハンドオフプロセスにおけるスキャン待ち時間は大いに短縮され得、ＳＴＡのローミングハンドオフのための時間は大いに削減され、異周波数ネットワーキングにおけるＳＴＡの高速ローミングは実装され得る。
【００４４】
以下は、実施形態を用いて本願の技術的解決法について更に記載する。図６は、本願の実施形態に従うチャネル切り替え方法の実施形態の概略図である。
【００４５】
中央制御デバイスが複数の遠隔アクセスユニット（ＲＲＵ）へ接続されることは、説明のための例として使用される。複数のＲＲＵは中央制御デバイスへ直接接続され、ＳＴＡは、中央制御デバイスによって制御される複数のＲＲＵの間でローミングする。方法は次のステップを含む。
【００４６】
６０１．制御デバイスは、ＳＴＡのポジショニング情報及び変位ベクトルに基づいて第１推奨ＲＲＵを決定する。
【００４７】
中央制御デバイスは、ＳＴＡのポジショニング情報及び変位ベクトルに基づいて、推奨されるＲＲＵを対象のＲＲＵとして選択し、第１推奨ＲＲＵが動作するチャネルが第１推奨チャネルであると決定する。
【００４８】
６０２．中央制御デバイスは、チャネル切り替え通知を原のＲＲＵへ送信する。
【００４９】
中央制御デバイスは、チャネル切り替え命令とも呼ばれ得るチャネル切り替え通知を原のＲＲＵへ送信する。チャネル切り替え通知は、チャネル切り替えアナウンス要素を運んでよい。チャネル切り替えアナウンス要素は、第１推奨チャネルの指示情報であってよい。
【００５０】
６０３．中央制御デバイスは、ＳＴＡのための優先アクセス権をリザーブするように対象のＲＲＵに指示する。
【００５１】
中央制御デバイスは、ＳＴＡのための優先アクセス権をリザーブするように対象のＲＲＵに指示し、このとき、優先アクセス権は、ＳＴＡの接続要求を受信する場合に、対象のＲＲＵが接続応答フレームにより優先的に応答し、ＳＴＡに対して優先的にアクセスを提供することを示す。
【００５２】
任意に、中央制御デバイスは更に、第１タイマ（Ｔｉｍｅｒ  １）をセットしてよく、ＳＴＡが再接続を行うために第１接続要求フレーム（ＰＲＯＢＥ  １又はＲＥＡＳＳＯＣ  １フレーム）を送信するのを待つ。
【００５３】
ステップ６０２及びステップ６０３の時間順序は制限されないことが留意されるべきである。
【００５４】
６０４．ＳＴＡは、チャネル切り替え通知に基づいて第１推奨チャネルへ切り替える。
【００５５】
チャネル切り替え通知を受信した後、ＳＴＡは、チャネル切り替え通知に含まれる第１推奨チャネルの指示情報に基づいて、原のＲＲＵに対応する原動作チャネルから、対象のＲＲＵに対応する第１推奨チャネルへ切り替える。
【００５６】
６０５．ＳＴＡは、第１接続要求を対象のＲＲＵへ送信する。
【００５７】
ＳＴＡは、第１推奨チャネルを使用することによって、第１接続要求フレーム（ＲＥＡＳＳＯＣ  １）を対象のＲＲＵへ送信する。任意に、ＳＴＡは更に、第２タイマＴｉｍｅｒ  ２を起動してもよく、第１接続応答フレーム（ＰＲＯＢＥ  ＲＥＳＰＯＮＳＥ  １又はＲＥＡＳＳＯＣ  ＡＣＫ  １）を待つ。第１接続要求を受信した後、対象のＲＲＵは、優先アクセス権リザベーション通知に基づいて第１接続要求を中央制御デバイスへ優先的に転送する。
【００５８】
６０６．中央制御デバイスは、第１接続応答を対象のＲＲＵへ送信する。
【００５９】
第１接続要求フレームを受信した後、中央制御デバイスは、第１タイマ（Ｔｉｍｅｒ  １）をクリアし、第１接続応答フレーム（ＲＥＡＳＳＯＣ  ＡＣＫ  １）により対象のＲＲＵに応答してよく、このとき、第１接続応答フレームは第１接続リターンコードを含む。接続が失敗する場合に、失敗原因は第１接続リターンコードにおいて示され、第１タイマ（Ｔｉｍｅｒ  １）は起動されて、ＳＴＡが第２接続要求フレーム（ＲＥＡＳＳＯＣ  ２）を送信するのを待つ。第１接続応答を受信した後、対象のＲＲＵは、第１推奨チャネルを使用することによって、優先アクセス権リザベーション通知に基づいて第１接続応答をＳＴＡへ優先的に転送する。
【００６０】
任意に、第１接続応答フレーム（ＲＥＡＳＳＯＣ  ＡＣＫ  １）を受信した後、ＳＴＡは、第２タイマ（Ｔｉｍｅｒ  ２）をクリアしてよい。第１接続リターンコードが、接続が成功することを示す場合には、ＳＴＡは、対象のＲＲＵに成功裏にアクセスし、これは、ローミングハンドオフが成功することを示す。
【００６１】
６０７．中央制御デバイスは、中央制御デバイスが第１接続要求を受信しない場合に、ＳＴＡのための優先アクセス権をリザーブするように対象のＲＲＵに指示する。
【００６２】
具体的に、ステップは、第１タイマがタイムアウトした後に中央制御デバイスが第１接続要求フレームを受信しない場合に、中央制御デバイスが、ＳＴＡのための優先アクセス権をリザーブするように原動作チャネル上で原のＲＲＵに指示することを含んでよい。
【００６３】
任意に、中央制御デバイスがＳＴＡの第２接続要求フレームを受信し、接続が成功することを示す第２接続応答により応答するまで、ＳＴＡが第２接続要求を送信するのを待つように、第１タイマ（Ｔｉｍｅｒ  １）がセットされてもよい。
【００６４】
６０８．ＳＴＡが第１接続応答を受信しない場合に、ＳＴＡは、原動作チャネルへ切り替える。
【００６５】
ＳＴＡが、第２タイマがタイムアウトした後に、中央制御デバイスによって送信された第１接続応答フレームを受信しないか、あるいは、受信された第１接続応答フレームが、接続が失敗することを示す場合には、ＳＴＡは、原動作チャネルへ切り替えてよい。
【００６６】
６０９．ＳＴＡは、第２接続要求を対象のＲＲＵへ送信する。
【００６７】
原動作チャネルへ切り替えた後、ＳＴＡは、原動作チャネル上で第２接続要求フレーム（ＲＥＡＳＳＯＣ  ２）を原のＲＲＵへ送信してよい。任意に、中央制御デバイスが第２接続応答フレーム（ＲＥＡＳＳＯＣ  ＡＣＫ  ２）を送信するのを待つように、第２タイマ（Ｔｉｍｅｒ  ２）が再起動されてもよい。第２接続要求を受信した後、対象のＲＲＵは、優先アクセス権リザベーション通知に基づいて第２接続要求を中央制御デバイスへ優先的に転送する。
【００６８】
６１０．中央制御デバイスは、第２接続応答を対象のＲＲＵへ送信する。
【００６９】
第２接続要求フレーム（ＲＥＡＳＳＯＣ  ２）を受信した後、中央制御デバイスは、第１タイマ（Ｔｉｍｅｒ  １）をクリアし、そして、接続が成功することを示すために、原動作チャネルを使用することによって第２接続応答フレーム（ＲＥＡＳＳＯＣ  ＡＣＫ  ２）により原のＲＲＵに応答してよい。第２接続応答フレームは第２接続リターンコードを含む。第２接続応答を受信した後、原のＲＲＵは、原動作チャネルを使用することによって、優先アクセス権リザベーション通知に基づいて第２接続応答をＳＴＡへ優先的に転送する。
【００７０】
接続が失敗する場合に、失敗原因は第２接続リターンコードにおいて示され、第１タイマ（Ｔｉｍｅｒ  １）は起動されて、ＳＴＡが第３接続要求フレームを送信するの待つことが留意されるべきである。
【００７１】
任意に、第２接続応答フレーム（ＲＥＡＳＳＯＣ  ＡＣＫ  ２）を受信した後、ＳＴＡは第２タイマ（Ｔｉｍｅｒ  ２）をクリアしてよい。接続リターンコードが、接続が成功することを示し、ＳＴＡが原動作チャネル上で原のＲＲＵへ成功裏に接続される場合に、中央制御デバイスはその後に、ハンドオフ決定結果に基づいてこの解決法においてハンドオフプロシージャを再開する。
【００７２】
６１１．中央制御デバイスが第２接続要求を受信しない場合に、中央制御デバイスは、ＳＴＡの優先権をリザーブするように他の対象のＲＲＵに指示する。
【００７３】
具体的に、ステップは、第１タイマ（Ｔｉｍｅｒ  １）がタイムアウトした後に中央制御デバイスが第２接続要求フレームを受信しない場合に、中央制御デバイスが、ＳＴＡのための優先アクセス権をリザーブするように全てのＲＲＵ又は（対象のＲＲＵ及び／又は原のＲＲＵとは異なる）他のＲＲＵに指示することを含んでよい。
【００７４】
６１２．ＳＴＡが第２接続応答を受信しない場合に、ＳＴＡは、第３動作チャネルへ切り替える。
【００７５】
ＳＴＡが、第２タイマがタイムアウトした後に、中央制御デバイスによって送信された第２接続応答フレーム（ＲＥＡＳＳＯＣ  ＡＣＫ  ２）を受信しないか、あるいは、受信された第１接続応答フレームが、接続が失敗することを示す場合には、ＳＴＡは、第３動作チャネルへ切り替えてよい。
【００７６】
第３動作チャネルは、ＳＴＡの周りのＲＲＵに対応する複数の動作チャネルの中で第１推奨チャネル及び原動作チャネルとは異なる他のチャネルの中のチャネルであることが留意されるべきである。
【００７７】
６１３．ＳＴＡは、第３接続要求を第３ＲＲＵへ送信する。
【００７８】
第３動作チャネルへ切り替えた後、ＳＴＡは、第３動作チャネル上で第３接続要求フレーム（ＲＥＡＳＳＯＣ  ３）を第３ＲＲＵへ送信してよい。任意に、中央制御デバイスが第３接続応答フレーム（ＲＥＡＳＳＯＣ  ＡＣＫ  ３）を送信するのを待つように、第２タイマ（Ｔｉｍｅｒ  ２）が再起動されてもよい。第３接続要求を受信した後、第３ＲＲＵは、優先アクセス権リザベーション通知に基づいて第３接続要求を中央制御デバイスへ優先的に転送する。
【００７９】
６１４．中央制御デバイスは、第３接続応答を第３ＲＲＵへ送信する。
【００８０】
第３接続要求フレームを受信した後、第３動作チャネル上で動作する第３ＲＲＵは、第３接続要求フレームを中央制御デバイスに報告する。第３接続要求フレーム（ＲＥＡＳＳＯＣ  ３）を受信した後、中央制御デバイスは、第１タイマ（Ｔｉｍｅｒ  １）をクリアし、そして、ＳＴＡに対して優先的にアクセスを提供するように第３動作チャネル上で動作する第３ＲＲＵを制御し、第３接続応答フレームにより応答して、接続が成功することを示してよい。この場合に、ＳＴＡは、第３動作チャネル上で第３ＲＲＵに成功裏にアクセスし、ローミングハンドオフは成功する。
【００８１】
ステップ６０７からステップ６１４は任意のステップであることが留意されるべきである。
【００８２】
任意に、本願のいくつかの実施形態で、中央制御デバイスが第１接続要求を受信しない場合に、中央制御デバイスは、ＳＴＡのための優先アクセス権をリザーブするように他のＲＲＵに指示する。ステップは具体的に、第１タイマがタイムアウトした後に中央制御デバイスが第１接続要求フレームを受信しない場合に、中央制御デバイスが、ＳＴＡのための優先アクセス権をリザーブするように他のＲＲＵに指示することを含んでよい。任意に、中央制御デバイスがＳＴＡの第２接続要求フレームを受信し、接続が成功することを示す第２接続応答により応答するまで、ＳＴＡが第２接続要求を送信するのを待つように、第１タイマ（Ｔｉｍｅｒ  １）がセットされてもよい。
【００８３】
ＳＴＡが第１接続応答を受信しない場合に、ＳＴＡが第３動作チャネルへ切り替えることは、具体的に、ＳＴＡが、第２タイマがタイムアウトした後に、中央制御デバイスによって送信された第１接続応答フレームを受信しないか、あるいは、受信された第１接続応答フレームが、接続が失敗することを示す場合に、ＳＴＡが第１推奨チャネルから第３動作チャネルへ切り替えることを含んでもよい。
【００８４】
例えば、業界における実際のテストデータによれば、チャネル切り替え遅延は、通常は０．１ｍｓであり、ＲＥＡＳＳＯＣフレームの送信からＲＥＡＳＳＯＣ  ＡＣＫの受信までの遅延は、約０．６ｍｓである。中央制御デバイスは、ＳＴＡのための優先アクセス権をリザーブし、ＳＴＡの接続要求を受信した後にＳＴＡに対して優先的にアクセスを提供し、接続成功を示す応答を行うように、ＲＲＵを制御する。従って、チャネルを切り替えた後にＳＴＡによって接続要求を開始する時点から、ハンドオフ失敗後にＳＴＡによってその後のチャネル切り替えを行う時点までの時間インターバル（Ｔｉｍｅｒ  ２）は、十分に短いようにセットされてよく、例えば、０．６ｍｓにセットされてよい。
【００８５】
ほとんどの場合に、第１推奨ＲＲＵが動作する、中央制御デバイスによって選択されたチャネル（すなわち、第１推奨チャネル）は、適切なチャネルであり、ＳＴＡは、一度のチャネル切り替えを通じて新しいチャネル上で成功裏に接続を行うことができ、すなわち、ローミングハンドオフは１ｍｓ内に完了される。いくつかの場合に、中央制御デバイスによって選択された第１推奨チャネルが不正確である場合には、チャネル切り替えは、二度又は三度実行されることがある。中央制御デバイスは常に、ＳＴＡのための優先アクセス権をリザーブするようにＲＲＵを制御するので、２つの連続した切り替え時点の間の時間インターバルは、非常に短くセットされ、例えば、０．６ｍｓから１ｍｓにセットされ得る。いくつかの他の場合に、ＳＴＡは、三度ハンドオフ要求を開始する必要があり、ローミングハンドオフプロシージャ全体はまた、約５．２ｍｓ内に完了され得る。
【００８６】
本願のこの実施形態で、中央制御デバイスは、ＳＴＡの位置及び変位ベクトルに基づいてＳＴＡのために適切な対象の遠隔アクセスユニットを選択し、原動作チャネルを使用することによって、対象の遠隔アクセスユニットチャネル指示情報を運ぶチャネル切り替え命令をＳＴＡへ送信し、そして、中央制御デバイスは、ＳＴＡのための優先アクセス権をリザーブし且つ応答メッセージによりＳＴＡのアクセス要求に優先的に応答するように対象の遠隔アクセスユニットに指示する。任意に、ＳＴＡは、対象の遠隔アクセスユニットへのハンドオフアクセスが失敗した後に原動作チャネルへ能動的に切り替え直し、そして、ＳＴＡのための優先アクセス権をリザーブするように原の遠隔アクセスユニットに指示する。原の遠隔アクセスユニットへのハンドオフアクセスが失敗する場合に、中央制御デバイスは、ＳＴＡのための優先アクセス権をリザーブするように、対象の遠隔アクセスユニット及び原の遠隔アクセスユニットとは異なる他の遠隔アクセスユニットに指示する。
【００８７】
先行技術と比較して、本願のこの実施形態では、中央制御デバイスは、推奨される対象の遠隔アクセスユニットが動作するチャネルをＳＴＡへ送信し、そして、ＳＴＡのための優先アクセス権をリザーブし、ＳＴＡの接続要求に優先的に応答し、且つＳＴＡに対して優先的にアクセスを提供するように遠隔アクセスユニットを制御する。このようにして、ＳＴＡのハンドオフプロセスにおけるスキャン待ち時間は大いに短縮され得、ＳＴＡのローミングハンドオフのための時間は大いに削減され得、異周波数ネットワーキングにおけるＳＴＡの高速ローミングは実装され得る。
【００８８】
先行技術と比較して、本願のこの実施形態の改善点は、次の通りである。本願は、中央制御デバイスが複数のアクセス・ポイントを制御するアーキテクチャに適用され、中央制御デバイスは、ＳＴＡの位置及び変位ベクトルに関する情報に基づいてＳＴＡのハンドオフ対象のアクセス・ポイントを取得し、そして、ＳＴＡのための優先アクセス権をリザーブするように対象のアクセス・ポイントを制御する。このようにして、対象チャネルをスキャンする時間及びスキャン待ち時間は、大いに削減され得、異周波数ネットワーキングにおける高速ローミングハンドオフは、実装され得る。
【００８９】
図７は、本願の実施形態に従うチャネル切り替え方法の実施形態の概略図である。方法は次のステップを含む。
【００９０】
７０１．中央制御デバイスは、ＳＴＡのポジショニング情報及び変位ベクトルに基づいて、推奨チャネルのリストを決定する。
【００９１】
中央制御デバイスは、ＳＴＡの位置及び変位ベクトルに基づいて、ＳＴＡのための複数の可能な推奨される対象のＲＲＵを選択し、複数の可能な推奨される対象のＲＲＵに対応するチャネルは、推奨チャネルのリストを構成する。推奨チャネルのリストは、少なくとも１つの対象のＲＲＵを優先順に含むことが理解され得る。
【００９２】
７０２．中央制御デバイスは、チャネル切り替え通知を原のＲＲＵへ送信する。
【００９３】
中央制御デバイスは、チャネル切り替え命令とも呼ばれ得るチャネル切り替え通知を原のＲＲＵへ送信する。チャネル切り替え通知は、推奨チャネルのリストを運んでよい。推奨チャネルのリストは、推奨優先度に基づきリストアップされる複数の推奨されるＲＲＵから生成されてよい。第１推奨ＲＲＵに対応する動作チャネルは第１推奨チャネルであり、第２推奨ＲＲＵに対応する動作チャネルは第２推奨チャネルであり、以降続く。
【００９４】
７０３．中央制御デバイスは、ＳＴＡのための優先アクセス権をリザーブするように第１推奨ＲＲＵに指示する。
【００９５】
中央制御デバイスは、ＳＴＡのための優先アクセス権をリザーブするように第１推奨ＲＲＵに指示する。任意に、第１タイマ（Ｔｉｍｅｒ  １）が更にセットされてもよい。優先アクセス権は、ＳＴＡの接続要求を受信する場合に、第１推奨ＲＲＵが接続応答フレームにより優先的に応答し、ＳＴＡに対して優先的にアクセスを提供することを示す。
【００９６】
ステップ７０２及びステップ７０３の時間順序は制限されないことが留意されるべきである。
【００９７】
７０４．ＳＴＡは、チャネル切り替え通知に基づいて第１推奨チャネルへ切り替える。
【００９８】
ＳＴＡは、チャネル切り替え通知において運ばれる推奨チャネルのリスト内のチャネルの順序に基づいて、最初に、原のＲＲＵに対応する原動作チャネルから、対象ＲＲＵにたいおうする第１推奨チャネルへ切り替える。
【００９９】
７０５．ＳＴＡは、第１接続要求を第１推奨ＲＲＵへ送信する。
【０１００】
ＳＴＡは、第１推奨チャネルを使用することによって、第１接続要求フレーム（ＲＥＡＳＳＯＣ  １）を第１推奨ＲＲＵへ送信する。任意に、ＳＴＡはまた、第２タイマ（Ｔｉｍｅｒ  ２）をセットしてもよく、第１接続応答フレームを待つ。第１接続要求を受信した後、第１推奨ＲＲＵは、優先アクセス権リザベーション通知に基づいて第１接続要求を中央制御デバイスへ優先的に転送する。
【０１０１】
７０６．中央制御デバイスは、第１接続応答を第１推奨ＲＲＵへ送信する。
【０１０２】
第１接続要求を受信した後、中央制御デバイスは、第１タイマ（Ｔｉｍｅｒ  １）をクリアし、そして、第１接続応答フレーム（ＲＥＡＳＳＯＣ  ＡＣＫ  １）によりＳＴＡに応答するように第１推奨ＲＲＵを制御してよく、このとき、第１接続応答フレームは第１接続リターンコードを含む。接続が失敗する場合に、失敗原因は第１接続リターンコードにおいて示され、第１タイマ（Ｔｉｍｅｒ  １）は起動されて、ＳＴＡが第２接続要求フレームを送信するのを待つ。第１接続応答を受信した後、第１推奨ＲＲＵは、第１推奨チャネルを使用することによって、優先アクセス権リザベーション通知に基づいて第１接続応答をＳＴＡへ優先的に転送する。
【０１０３】
任意に、第１接続応答フレーム（ＲＥＡＳＳＯＣ  ＡＣＫ  １）メッセージを受信した後、ＳＴＡは、第２タイマ（Ｔｉｍｅｒ  ２）をクリアしてよい。第１接続リターンコードが、接続が成功することを示す場合には、それは、ＳＴＡが第１推奨ＲＲＵに成功裏にアクセスすることを意味し、これは、ローミングハンドオフが成功することを示す。
【０１０４】
７０７．中央制御デバイスが第１接続要求を受信しない場合に、中央制御デバイスは、ＳＴＡのための優先アクセス権をリザーブするように第２推奨ＲＲＵに指示する。
【０１０５】
具体的に、ステップは、Ｔｉｍｅｒ  １がタイムアウトした後に中央制御デバイスがＲＥＡＳＳＯＣ  １を受信しない場合に、中央制御デバイスが、ＳＴＡのための優先アクセス権をリザーブするように第２推奨ＲＲＵに指示することを含んでよい。
【０１０６】
任意に、中央制御デバイスがＳＴＡの第２接続要求フレームを受信し、接続が成功することを示す第２接続応答により応答するまで、ＳＴＡが第２接続要求を送信するのを待つように、第１タイマ（Ｔｉｍｅｒ  １）がまた、セットされてもよい。
【０１０７】
７０８．ＳＴＡが第１接続応答を受信しない場合に、ＳＴＡは、第２推奨チャネルへ切り替える。
【０１０８】
ＳＴＡが、第２タイマ（Ｔｉｍｅｒ  ２）がタイムアウトした後に、中央制御デバイスによって送信された第１接続応答フレームを受信しないか、あるいは、受信された第１接続応答フレームが、接続が失敗することを示す場合には、ＳＴＡは、第２推奨チャネルへ切り替える。第２推奨チャネルは、推奨チャネルのリストの中のチャネルであり、第１推奨チャネルの優先度は、第２推奨チャネルの優先度よりも高い。
【０１０９】
７０９．ＳＴＡは、第２接続要求を第２推奨ＲＲＵへ送信する。
【０１１０】
第２推奨チャネルへ切り替えた後、ＳＴＡは、第２推奨チャネル上で第２接続要求フレーム（ＲＥＡＳＳＯＣ  ２）メッセージを第２推奨ＲＲＵへ送信してよい。任意に、中央制御デバイスが第２接続応答フレームを送信するのを待つように、第２タイマが更に、再起動されてもよい。第２接続要求を受信した後、第２推奨ＲＲＵは、優先アクセス権リザベーション通知に基づいて第２接続要求を中央制御デバイスへ優先的に転送する。
【０１１１】
７１０．中央制御デバイスは、第２接続応答を第２推奨ＲＲＵへ送信する。
【０１１２】
第２接続要求フレーム（ＲＥＡＳＳＯＣ  ２）を受信した後、中央制御デバイスは、第１タイマ（Ｔｉｍｅｒ  １）をクリアし、そして、第２接続応答フレーム（ＲＥＡＳＳＯＣ  ＡＣＫ  ２）メッセージによりＳＴＡに応答するように第２推奨ＲＲＵを制御してよい。第２接続応答フレームは第２接続リターンコードを含む。第２接続応答を受信した後、第２推奨ＲＲＵは、原動作チャネルを使用することによって、優先アクセス権リザベーション通知に基づいて第２接続応答をＳＴＡへ優先的に転送する。
【０１１３】
接続が失敗する場合に、失敗原因は第２接続リターンコードにおいて示され、第１タイマ（Ｔｉｍｅｒ  １）は起動されて、ＳＴＡが第３接続要求フレームを送信するの待つことが留意されるべきである。
【０１１４】
任意に、第２接続応答フレーム（ＲＥＡＳＳＯＣ  ＡＣＫ  ２）メッセージを受信した後、ＳＴＡは第２タイマ（Ｔｉｍｅｒ  ２）をクリアしてよい。接続リターンコードが、接続が成功することを示す場合に、ＳＴＡは、第２推奨チャネル上で第２推奨ＲＲＵへ成功裏に接続される。
【０１１５】
７１１．中央制御デバイスが第２接続要求を受信しない場合に、中央制御デバイスは、ＳＴＡのための優先アクセス権をリザーブするように他の推奨されるＲＲＵに指示する。
【０１１６】
具体的に、ステップは、第１タイマ（Ｔｉｍｅｒ  １）がタイムアウトした後に中央制御デバイスが第２接続要求フレーム（ＲＥＡＳＳＯＣ  ２）を受信しない場合に、中央制御デバイスが、ＳＴＡのための優先アクセス権をリザーブするように全ての推奨されるＲＲＵ又は（第１推奨ＲＲＵ及び／又は第２推奨ＲＲＵとは異なる）他のＲＲＵに指示することを含んでよい。
【０１１７】
７１２．ＳＴＡが第２接続応答を受信しない場合に、ＳＴＡは、第３推奨チャネルへ切り替える。
【０１１８】
ＳＴＡが、第２タイマ（Ｔｉｍｅｒ  ２）がタイムアウトした後に、中央制御デバイスによって送信された第２接続応答フレーム（ＲＥＡＳＳＯＣ  ＡＣＫ  ２）を受信しないか、あるいは、受信された第２接続応答フレームが、接続が失敗することを示す場合には、ＳＴＡは、推奨チャネルのリスト内にある第３推奨チャネルへ切り替えてよい。
【０１１９】
７１３．ＳＴＡは、第３接続要求を第３推奨ＲＲＵへ送信する。
【０１２０】
第３推奨チャネルへ切り替えた後、ＳＴＡは、第３推奨チャネル上で第３接続要求フレーム（ＲＥＡＳＳＯＣ  ３）を第３推奨ＲＲＵへ送信してよい。任意に、中央制御デバイスが第３接続応答フレーム（ＲＥＡＳＳＯＣ  ＡＣＫ  ３）を送信するのを待つように、第２タイマ（Ｔｉｍｅｒ  ２）が更に、再起動されてもよい。第３接続要求を受信した後、第３推奨ＲＲＵは、優先アクセス権リザベーション通知に基づいて第３接続要求を中央制御デバイスへ優先的に転送する。
【０１２１】
７１４．中央制御デバイスは、第３接続応答を第３推奨ＲＲＵへ送信する。
【０１２２】
第３接続要求を受信した後、中央制御デバイスは、第１タイマ（Ｔｉｍｅｒ  １）をクリアし、そして、第３接続応答フレーム（ＰＲＯＢＥ  ＲＥＳＰＯＮＳＥ  ３）により応答するように第３推奨チャネル上で動作する第３推奨ＲＲＵを優先的に制御して、ハンドオフが成功することを示してよい。この場合に、ＳＴＡは、第３推奨動作チャネル上で第３推奨ＲＲＵに成功裏にアクセスし、ローミングハンドオフは成功する。
【０１２３】
本願のこの実施形態で、中央制御デバイスは、ＳＴＡの位置及び変位ベクトルに基づいてＳＴＡのために複数の適切な対象の遠隔アクセスユニットを選択して、アクセスのために推奨される遠隔アクセスユニットのリストを取得し、原動作チャネルを使用することによって、アクセスのために推奨される遠隔アクセスユニットのリストを運ぶチャネル切り替え命令をＳＴＡへ送信する。加えて、中央制御デバイスは、アクセスのために推奨される遠隔アクセスユニットのリスト内の順序に基づいて、且つ、タイマのタイムアウトステータスに基づいて、ＳＴＡのための優先アクセス権をリザーブするように対象の遠隔アクセスユニットに１つずつ指示する。ＳＴＡは、ハンドオフが成功するまで、推奨チャネルのリスト内の推奨のための優先度に基づいて１つずつ推奨チャネル上でのハンドオフを開始する。
【０１２４】
先行技術と比較して、本願のこの実施形態では、中央制御デバイスは、推奨される遠隔アクセスユニットのリストをＳＴＡへ送信し、そして、ＳＴＡのための優先アクセス権をリザーブし且つＳＴＡの接続要求に優先的に応答するように対象の遠隔アクセスユニットを制御する。このようにして、ＳＴＡのハンドオフプロセスにおけるスキャン待ち時間は大いに短縮され得、ＳＴＡのローミングハンドオフのための時間は大いに削減され得、異周波数ネットワーキングにおけるＳＴＡの高速ローミングは実装され得る。
【０１２５】
図６に示される実施形態と比較して、本願のこの実施形態の改善点は、次の通りである。この実施形態では、チャネル切り替え通知は、推奨チャネルのリストを運び、従って、推奨チャネルのリストをサポートする機能がＳＴＡ側で必要とされるとはいえ、ＳＴＡのための推奨チャネルの切り替え順序はより柔軟である。
【０１２６】
製品実施の視点から、本発明の上記の技術的解決法に関して、ＡＰは、中央制御デバイスとして働くために使用されてよい。ネットワークトポロジの視点から、中央制御デバイスの使用はあいまいである。しかし、技術的解決法の実施が、異周波数ネットワーキングにおいて高速ローミングハンドオフを実装するために適用されるかどうかは、ＳＴＡのハンドオフ待ち時間及びパケットキャプチャのようなデータを使用することによって総合的に決定され得る。
【０１２７】
上記は、本願の実施形態におけるローミングハンドオフ方法について説明し、以下は、本願の実施形態における中央制御デバイス及びステーションについて独立して説明する。図８は、本願の実施形態に従う中央制御デバイスの実施形態の概略図であり、デバイスは、次のモジュール：
ステーションの位置及び変位ベクトルに基づいて少なくとも１つの対象の遠隔アクセスユニットＲＲＵを決定するよう構成される処理モジュール８０１と、
少なくとも１つの対象のＲＲＵを含むチャネル切り替え命令を原のＲＲＵへ送信し、第１優先アクセス権リザベーション通知を、少なくとも１つの対象のＲＲＵのうちの１つである第１対象ＲＲＵへ送信し、第１接続リターンコードを含む有する第１接続応答を第１対象ＲＲＵへ送信するよう構成される送信モジュール８０２と、
第１対象ＲＲＵによって送信された第１接続要求を受信するよう構成される受信モジュール８０３と
含む。
【０１２８】
任意に、本願のいくつかの実施形態で、チャネル切り替え命令は、推奨チャネルのリストを含み、推奨チャネルのリストは、少なくとも１つの対象のＲＲＵを優先順に含む。
【０１２９】
任意に、本願のいくつかの実施形態で、
送信モジュール８０２は、中央制御デバイスが第１接続要求を受信しない場合に、第２優先アクセス権リザベーション通知を原のＲＲＵへ送信し、第２接続リターンコードを含む第２接続応答を原のＲＲＵへ送信するよう更に構成され、
受信モジュール８０３は、原のＲＲＵによって送信された第２接続要求を受信するよう更に構成される。
【０１３０】
任意に、本願のいくつかの実施形態で、
送信モジュール８０２は、中央制御デバイスが第２接続要求を受信しない場合に、第３優先アクセス権リザベーション通知を第２対象ＲＲＵへ送信し、第３接続リターンコードを含む第３接続応答を第２対象ＲＲＵへ送信するよう更に構成され、
受信モジュール８０３は、第２対象ＲＲＵによって送信された第３接続要求を受信するよう更に構成される。
【０１３１】
任意に、本願のいくつかの実施形態で、
送信モジュール８０２は、中央制御デバイスが前もって設定された存続期間内に第１接続要求を受信しない場合に、第２優先アクセス権リザベーション通知を原のＲＲＵへ送信するよう特に構成される。
【０１３２】
図９は、本願の実施形態に従うステーションの実施形態の概略図であり、ステーションは、次のモジュール：
原の遠隔アクセスユニットＲＲＵによって送信された、少なくとも１つの対象のＲＲＵを含むチャネル切り替え命令を受信し、第１対象ＲＲＵによって送信された、第１接続リターンコードを含む第１接続応答を受信するよう構成される受信モジュール９０１と、
チャネル切り替え命令に基づいて原動作チャネルから第１推奨チャネルへ切り替えるよう構成される処理モジュール９０２であり、原のＲＲＵは原動作チャネルに対応し、第１推奨チャネルは第１対象ＲＲＵに対応する、処理モジュール９０２と、
第１推奨チャネルを使用することによって、第１接続要求を、少なくとも１つの対象のＲＲＵのうちの１つである第１対象ＲＲＵへ送信し、第１推奨チャネルを使用することによって、第１対象ＲＲＵによって送信された、第１接続リターンコードを含む第１接続応答を受信するよう構成される送信モジュール９０３と
を含む。
【０１３３】
任意に、本願のいくつかの実施形態で、チャネル切り替え命令は、推奨チャネルのリストを含み、推奨チャネルのリストは、少なくとも１つの対象のＲＲＵを優先順に含む。
【０１３４】
任意に、本願のいくつかの実施形態で、
処理モジュール９０２は、ステーションが、第１の前もって設定された存続期間内に、第１対象ＲＲＵによって送信された第１接続応答を受信しないか、あるいは、接続が失敗することを第１接続リターンコードが示す場合に、第１推奨チャネルから原動作チャネルへ切り替えるよう更に構成され、
送信モジュール９０３は、原動作チャネルを使用することによって、第２接続要求を原のＲＲＵへ送信するよう更に構成され、
受信モジュール９０１は、原動作チャネルを使用することによって、原のＲＲＵによって送信された、第２接続リターンコードを含む第２接続応答を受信するよう更に構成される。
【０１３５】
任意に、本願のいくつかの実施形態で、
処理モジュール９０２は、ステーションが、第２の前もって設定された存続期間内に、原のＲＲＵによって送信された第２接続応答を受信しないか、あるいは、接続が失敗することを第２接続リターンコードが示す場合に、原動作チャネルから、第２対象ＲＲＵに対応する第２推奨チャネルへ切り替えるよう更に構成され、
送信モジュール９０３は、第２推奨チャネルを使用することによって、第３接続要求を第２対象ＲＲＵへ送信するよう更に構成され、第２対象ＲＲＵは、少なくとも１つの対象のＲＲＵのうちの１つであり、
受信モジュール９０１は、第２推奨チャネルを使用することによって、第２対象ＲＲＵによって送信された、第３接続リターンコードを含む第３接続応答を受信するよう更に構成される。
【０１３６】
図１０は、本願の実施形態に従う中央制御デバイスの実施形態の概略図であり、デバイスは、次のモジュール：
トランシーバ１００１、メモリ１００２、及びプロセッサ１００３を含み、トランシーバ１００１、メモリ１００２、及びプロセッサ１００３は、バスを使用することによって互いに接続されている。
【０１３７】
トランシーバ１００１は、少なくとも１つの対象のＲＲＵを含むチャネル切り替え命令を原のＲＲＵへ送信し、第１優先アクセス権リザベーション通知を、少なくとも１つの対象のＲＲＵのうちの１つである第１対象ＲＲＵへ送信し、第１対象ＲＲＵによって送信された第１接続要求を受信し、第１接続リターンコードを含む有する第１接続応答を第１対象ＲＲＵへ送信するよう構成される。
【０１３８】
プロセッサ１００３は、ステーションの位置及び変位ベクトルに基づいて少なくとも１つの対象の遠隔アクセスユニットＲＲＵを決定するよう構成される。
【０１３９】
任意に、本願のいくつかの実施形態で、チャネル切り替え命令は、推奨チャネルのリストを含み、推奨チャネルのリストは、少なくとも１つの対象のＲＲＵを優先順に含む。
【０１４０】
任意に、本願のいくつかの実施形態で、
トランシーバ１００１は、中央制御デバイスが第１接続要求を受信しない場合に、第２優先アクセス権リザベーション通知を原のＲＲＵへ送信し、原のＲＲＵによって送信された第２接続要求を受信し、第２接続リターンコードを含む第２接続応答を原のＲＲＵへ送信するよう更に構成される。
【０１４１】
任意に、本願のいくつかの実施形態で、
トランシーバ１００１は、中央制御デバイスが第２接続要求を受信しない場合に、第３優先アクセス権リザベーション通知を第２対象ＲＲＵへ送信し、２対象ＲＲＵによって送信された第３接続要求を受信し、第３接続リターンコードを含む第３接続応答を第２対象ＲＲＵへ送信するよう更に構成される。
【０１４２】
任意に、本願のいくつかの実施形態で、
トランシーバ１００１は、中央制御デバイスが前もって設定された存続期間内に第１接続要求を受信しない場合に、第２優先アクセス権リザベーション通知を原のＲＲＵへ送信するよう特に構成される。
【０１４３】
図１１は、本願の実施形態に従うステーションの実施形態の概略図である。ステーションは、携帯電話機、タブレットコンピュータ、パーソナル・デジタル・アシスタント（personal  digital  assistant，ＰＤＡ）、販売端末（point  of  sales，ＰＯＳ）、又は車載コンピュータのような如何なる端末デバイスも含んでよい。例えば、ステーションは携帯電話機であり、
無線周波数（radio  frequency，ＲＦ）回路１１１０、メモリ１１２０、入力ユニット１１３０、表示ユニット１１４０、センサ１１５０、オーディオ回路１１６０、ワイヤレス・フィデリティ（wireless  fidelity，ＷｉＦｉ）モジュール１１７０、プロセッサ１１８０、及び電源１１９０のようなコンポーネントを含んでよい。当業者に理解され得るように、図１１に示される携帯電話機の構造は、携帯電話機に対する制限を構成するものではなく、携帯電話機は、図示されているよりも多い又は少ないコンポーネントを含んでよく、いくつかのコンポーネントを結合してもよく、あるいは、異なるコンポーネント配置を有してもよい。
【０１４４】
以下は、図１１を参照して携帯電話機の各構成コンポーネントについて詳細に記載する。
【０１４５】
ＲＦ回路１１１０は、情報送信及び受信プロセス又はコールプロセスにおいて信号を送信及び受信するよう構成されてよい。特に、ＲＦ回路１１０は、基地局からダウンリンク情報を受信し、次いで、ダウンリンク情報を処理のためにプロセッサ１１８０へ送信する。その上、ＲＦ回路１１１０は、アップリンクデータを基地局へ送信する。通常、ＲＦ回路１１１０は、アンテナ、少なくとも１つの増幅器、トランシーバ、カプラ、低雑音増幅器（low  noise  amplifier，ＬＮＡ）、デュプレクサなどを含むが限られない。その上、ＲＦ回路１１１０は、ワイヤレス通信を通じてネットワーク及び他のデバイスと更に通信してもよい。ワイヤレス通信は、グローバル・システム・フォー・モバイル・コミュニケーションズ（global  system  of  mobile  communication，ＧＳＭ）、汎用パケット無線サービス（general  packet  radio  service，ＧＰＲＳ）、符号分割多重アクセス（code  division  multiple  access，ＣＤＭＡ）、広帯域符号分割多重アクセス（wideband  code  division  multiple  access，ＷＣＤＭＡ）、ロング・ターム・エボリューション（long  term  evolution，ＬＴＥ）、電子メール、ショート・メッセージ・サービス（short  messaging  service，ＳＭＳ）、などを含むがこれらに限られない如何なる通信標準又はプロトコルも使用してよい。
【０１４６】
メモリ１１２０は、ソフトウェアプログラム及びモジュールを記憶するよう構成されてよい。プロセッサ１１８０は、メモリ１１２０に記憶されているソフトウェアプログラム及びモジュールを実行することによって、携帯電話機の様々な機能アプリケーション及びデータ処理を実行する。メモリ１１２０は、プログラム記憶領域及びデータ記憶領域を主として含んでよい。プログラム記憶領域は、オペレーティング・システム、少なくとも１つの機能（例えば、音声再生機能及び画像再生機能）によって必要とされるアプリケーションプログラム、などを記憶し得る。データ記憶領域は、携帯電話機の使用に基づき生成されるデータ（例えば、音声データ及び連絡帳）、などを記憶し得る。その上、メモリ１１２０は、高速ランダム・アクセス・メモリを含んでよく、更には、少なくとも１つの磁気ディスク記憶コンポーネントのような不揮発性メモリ、フラッシュメモリ、又は他の揮発性ソリッドステート記憶コンポーネントを含んでもよい。
【０１４７】
入力ユニット１１３０は、入力された数又は文字情報を受け取り、携帯電話機のユーザ設定及び機能制御に関連したキー信号入力を生成するよう構成されてよい。具体的に、入力ユニット１１３０は、タッチパネル１１３１及び他の入力デバイス１１３２を含んでよい。タッチパネル１１３１は、タッチスクリーンとも呼ばれ、タッチパネル１１３１又はその近くでユーザによって行われるタッチ操作（例えば、指又はスタイラスのような何らかの適切な物又はアクセサリを使用することによって、タッチパネル１１３１で又はその近くでユーザによって行われる操作）を収集してよく、前もってセットされたプログラムに基づいて、対応する接続装置を駆動してよい。任意に、タッチパネル１１３１は２つの部分、すなわち、タッチ検出装置及びタッチコントローラを含んでよい。タッチ検出装置は、ユーザのタッチ方向及び位置を検出し、タッチ操作によってもたらされる信号を検出し、信号をタッチコントローラへ送信する。タッチコントローラは、タッチ検出装置からタッチ情報を受信し、タッチ情報をタッチ点座標に変換し、次いで、タッチ点座標をプロセッサ１１８０へ送信し、そして、プロセッサ１１８０によって送信されたコマンドを受信及び実行する。その上、タッチパネル１１３１は、抵抗型、容量型、赤外線型、及び表面弾性波型のような複数のタイプで実装されてよい。入力ユニット１１３０は、タッチパネル１１３１に加えて、他の入力デバイス１１３２を更に含んでもよい。具体的に、他の入力デバイス１１３２は、物理キーボード、ファンクションキー（音量制御キー又は電源オン／オフキー）、トラックボール、マウス、ジョイスティック、などのうちの１つ以上を含んでよいが限られない。
【０１４８】
表示ユニット１１４０は、ユーザによって入力された情報、又はユーザに提供される情報、及び携帯電話機の様々なメニューを表示するよう構成されてよい。表示ユニット１１４０は、表示パネル１１４１を含んでよい。任意に、表示パネル１１４１は、液晶ディスプレイ（liquid  crystal  display，ＬＣＤ）、有機発光ダイオード（organic  light-emitting  diode，ＯＬＥＤ）、などの形で構成されてよい。更に、タッチパネル１１３１が表示パネル１１４１を覆ってもよい。タッチパネル１１３１で又はその近くでタッチ操作を検出した後、タッチパネル１１３１は、タッチイベントのタイプを決定するためにタッチ操作をプロセッサ１１８０へ送信し、次いで、プロセッサ１１８０は、タッチイベントのタイプに基づいて表示パネル１１４１で対応する視覚的出力を提供する。タッチパネル１１３１及び表示パネル１１４１は、携帯電話機の入力機能及び出力機能を実装するために図１１では２つの独立した部分として使用されるが、いくつかの実施形態では、タッチパネル１１３１及び表示パネル１１４１は、携帯電話機の入力機能及び出力機能を実装するように一体化され得る。
【０１４９】
携帯電話機は、光センサ、動きセンサ、及び他のセンサのような、少なくとも１つのセンサ１１５０を更に含んでもよい。具体的に、光センサは、周囲光センサ及び近接センサを含んでよい。周囲光センサは、周囲光の明るさに基づいて表示パネル１１４１の輝度を調整してよい。近接センサは、携帯電話機が耳に近づくときに、表示パネル１１４１及び／又はバックライトをオフしてよい。動きセンサの１タイプとして、加速度センサは、全ての方向（通常は、３軸）における加速度の値を検出してよく、加速度センサが静止しているときには重力の値及び方向を検出してよく、携帯電話機の姿勢を特定する用途（例えば、横向きと縦向きの画面切り替え、関連するゲーム、若しくは磁力計姿勢較正）、振動識別に関連した機能（例えば、ペドメーター若しくはノック）、などに使用されてよい。ジャイロスコープ、気圧計、湿度計、温度計、及び赤外線センサのような他のセンサが携帯電話機において更に構成されてもよい。詳細はここでは記載されない。
【０１５０】
オーディオ回路１１６０、ラウドスピーカ１１６１、及びマイクロホン１１６２は、ユーザと携帯電話機との間のオーディオインターフェイスを提供してよい。オーディオ回路１１６０は、受け取られたオーディオデータの変換後に取得される電気信号をラウドスピーカ１１６１へ送信してよく、ラウドスピーカ１１６１は、電気信号音響信号に変換し、音響信号を出力する。その上、マイクロホン１１６２は、収集された音響信号を電気信号に変換し、オーディオ回路１１６０は、電気信号を受信してオーディオデータに変換し、オーディオデータを処理のためにプロセッサ１１８０へ出力し、それから、出力されたオーディオデータは、例えば、ＲＦ回路１１１０を使用することによって、他の携帯電話機へ送られるか、あるいは、オーディオデータは、更なる処理のためにメモリ１１２０へ出力される。
【０１５１】
Ｗｉ−Ｆｉは、短距離ワイヤレス伝送技術である。Ｗｉ−Ｆｉモジュール１１７０により、携帯電話機は、ユーザのためにワイヤレスブロードバンドインターネットアクセスを提供しながら、ユーザが電子メールを受信及び送信すること、ウェブページを閲覧すること、ストリーミングメディアにアクセスすること、などを助け得る。図１１にはＷｉ−Ｆｉモジュール１１７０が示されているが、Ｗｉ−Ｆｉモジュール１１７０は携帯電話機の必須のコンポーネントではなく、本発明の本質を変えることなしに要件に基づいて省略されてもよいことが理解され得る。
【０１５２】
プロセッサ１１８０は、携帯電話機の制御センターであり、様々なインターフェイス及びラインを使用することによって携帯電話機全体の各部分を接続し、メモリ１１２０に記憶されているソフトウェアプログラム及び／又はモジュールを起動又は実行することと、メモリ１１２０に記憶されているデータを呼び出すこととによって携帯電話機のデータを処理して、携帯電話機に対して全体的なモニタリングを実行する。任意に、プロセッサ１１８０は、１つ以上の処理ユニットを含んでよい。望ましくは、アプリケーションプロセッサ及びモデムプロセッサが、プロセッサ１１８０に組み込まれてもよい。アプリケーションプロセッサは、オペレーティング・システム、ユーザインターフェイス、アプリケーション、などを主に処理する。モデムプロセッサは、ワイヤレス通信を主に処理する。モデムプロセッサは、代替的に、プロセッサ１１８０に組み込まれなくてもよいことが理解され得る。
【０１５３】
携帯電話機は、コンポーネントへ電力を供給する電源１１９０（例えば、バッテリ）を更に含む。望ましくは、電源は、電力管理システムを使用することによって充電、放電、及び電力消費の管理のような機能を実装するために、電力管理システムを使用することによってプロセッサ１１８０へ論理的に接続されてよい。
【０１５４】
たとえ図示されていないとしても、携帯電話機は、カメラ、Ｂｌｕｅｔｏｏｔｈモジュール、などを更に含んでもよく、詳細はここでは記載されない。
【０１５５】
本願のこの実施形態で、ＲＦ回路１１１０は、原の遠隔アクセスユニットＲＲＵによって送信された、少なくとも１つの対象のＲＲＵを含むチャネル切り替え命令を受信し、第１推奨チャネルを使用することによって、第１接続要求を、少なくとも１つの対象のＲＲＵのうちの１つである第１対象ＲＲＵへ送信し、第１推奨チャネルを使用することによって、第１対象ＲＲＵによって送信された、第１接続リターンコードを含む第１接続応答を受信するよう更に構成される。
【０１５６】
プロセッサ１１８０は、チャネル切り替え命令に基づいて原動作チャネルから第１推奨チャネルへ切り替えるよう更に構成され、原のＲＲＵは原動作チャネルに対応し、第１推奨チャネルは第１対象ＲＲＵに対応する。
【０１５７】
任意に、本願のいくつかの実施形態で、チャネル切り替え命令は、推奨チャネルのリストを含み、推奨チャネルのリストは、少なくとも１つの対象のＲＲＵを優先順に含む。
【０１５８】
任意に、本願のいくつかの実施形態で、
プロセッサ１１８０は、ステーションが、第１の前もって設定された存続期間内に、第１対象ＲＲＵによって送信された第１接続応答を受信しないか、あるいは、接続が失敗することを第１接続リターンコードが示す場合に、第１推奨チャネルから原動作チャネルへ切り替えるよう更に構成される。
【０１５９】
ＲＦ回路１１１０は、原動作チャネルを使用することによって、第２接続要求を原のＲＲＵへ送信し、原動作チャネルを使用することによって、原のＲＲＵによって送信された、第２接続リターンコードを含む第２接続応答を受信するよう更に構成される。
【０１６０】
任意に、本願のいくつかの実施形態で、
プロセッサ１１８０は、ステーションが、第２の前もって設定された存続期間内に、原のＲＲＵによって送信された第２接続応答を受信しないか、あるいは、接続が失敗することを第２接続リターンコードが示す場合に、原動作チャネルから、第２対象ＲＲＵに対応する第２推奨チャネルへ切り替えるよう更に構成される。
【０１６１】
ＲＦ回路１１１０は、第２推奨チャネルを使用することによって、第３接続要求を第２対象ＲＲＵへ送信し、第２対象ＲＲＵが少なくとも１つの対象のＲＲＵのうちの１つであり、且つ、第２推奨チャネルを使用することによって、第２対象ＲＲＵによって送信された、第３接続リターンコードを含む第３接続応答を受信するよう更に構成される。
【０１６２】
上記の実施形態の全て又は一部は、ソフトウェア、ハードウェア、ファームウェア、又はそれらの任意の組み合わせを使用して実施されてよい。ソフトウェアが実施形態を実施するために使用される場合に、実施形態は、完全に又は部分的にコンピュータプログラム製品の形で実施されてよい。コンピュータプログラム製品は、１つ以上のコンピュータ命令を含む。コンピュータプログラム命令がコンピュータでロード及び実行される場合に、本願の実施形態に従うプロシージャ又は機能のいくつか又は全ては生成される。コンピュータは、汎用のコンピュータ、特別目的のコンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ伝送されてもよい。例えば、コンピュータ命令は、１つのウェブサイト、コンピュータ、サーバ、又はデータセンターから他のウェブサイト、コンピュータ、サーバ、又はデータセンターへ有線（例えば、同軸ケーブル、光ファイバ、若しくはデジタル加入者回線（ＤＬＳ））又は無線（例えば、赤外線、電波、及びマイクロ波）で伝送されてよい。コンピュータ可読記憶媒体は、コンピュータによってアクセス可能な任意の使用可能な媒体、又は１つ以上の使用可能な媒体を組み込むサーバ若しくはデータセンターのようなデータ記憶デバイスであってよい。使用可能な媒体は、磁気媒体（例えば、フロッピーディスク、ハードディスク、又は磁気テープ）、光学媒体（例えば、ＤＶＤ）、半導体媒体（例えば、ソリッド・ステート・ドライブ（Solid  State  Disk，ＳＳＤ））などであってよい。
【０１６３】
当業者には明らかに理解され得るように、便宜上及び簡潔な記載のために、記載されるシステム、装置、及びユニットの詳細な動作プロセスについては、上記の方法実施形態における対応するプロセスを参照されたい。詳細はここで再び記載されない。
【０１６４】
本願で提供されるいくつかの実施形態では、開示されるシステム、装置、及び方法は、他の様態で実施されてもよいことが理解されるべきである。例えば、記載される装置実施形態は一例にすぎない。例えば、ユニット分割は、論理的な機能分割にすぎず、実際の実施では他の分割であってもよい。例えば、複数のユニット又はコンポーネントは、他のシステムに結合又は一体化されてよく、あるいは、いくつかの機構は無視されるか又は実行されなくてよい。その上、表示又は議論される相互結合又は直接結合若しくは通信接続は、何らかのインターフェイスを使用することによって実施されてよい。装置又はユニットの間の間接的な結合又は通信接続は、電気的な形、機械的な形、又は他の形で実施されてよい。
【０１６５】
別個の部分として記載されるユニットは、物理的に分離していてもいなくてもよく、ユニットとして表示される部分は、物理的なユニットであってもなくてもよく、一カ所に配置されてよく、あるいは、複数のネットワークユニットに分布してもよい。ユニットの一部又は全ては、実施形態の解決法の目的を達成するために、実際の要件に基づいて選択されてよい。
【０１６６】
その上、本願の実施形態における機能ユニットは、１つの処理ユニットに組み込まれてよく、あるいは、ユニットの夫々は、物理的に単独で存在してよく、あるいは、２つ以上のユニットが１つのユニットに一体化される。一体化されたユニットは、ハードウェアの形で実施されてよく、あるいは、ソフトウェア機能ユニットの形で実施されてもよい。
【０１６７】
一体化されたユニットがソフトウェア機能ユニットの形で実施され、独立した製品として販売又は使用される場合に、一体化されたユニットは、コンピュータ可読記憶媒体に記憶されてよい。そのような理解に基づいて、原則的に本願の技術的解決法は、あるいは、先行技術、又は技術的解決法の全て若しくは一部に寄与する部分は、ソフトウェア製品の形で実施されてよい。コンピュータソフトウェア製品は、記憶媒体に記憶され、本願の実施形態における方法のステップの全て又は一部を実行するようにコンピュータデバイス（パーソナルコンピュータ、サーバ、ネットワークデバイスなどであってよい）に指示するためのいくつかの命令を含む。記憶媒体は、プログラムコードを記憶することができる、ＵＳＢフラッシュドライブ、リムーバブルハードディスク、リード・オンリー・メモリ（read-only  memory，ＲＯＭ）、ランダム・アクセス・メモリ（random  access  memory，ＲＡＭ）、磁気ディスク、又は光ディスクのような如何なる媒体も含む。
【０１６８】
まとめると、上記の実施形態は、単に、本願の技術的解決法について記載することを目的とし、本願を制限するものではない。本願は、上記の実施形態を参照して詳細に記載されるが、当業者であれば、彼らが依然として、本願の実施形態の技術的解決法の精神及び適用範囲から逸脱することなしに、上記の実施形態で記載される技術的解決法に対して変更を行い、あるいは、そのいくつかの技術的特徴に対して同等の置換を行い得る、と理解するはずである。
【０１６９】
本願は、２０１８年４月２８日付で、「ROAMING  HANDOFF  METHOD,  CENTRAL  CONTROL  DEVICE,  AND  STATION」と題されて中国特許庁に出願された中国特許出願第２０１８１０４０２１４５．２号の優先権を主張する。なお、この中国特許出願は、その全文を参照により本願に援用される。
【図１】
2021500828.tif 000004
【図２】
2021500828.tif 000005
【図３】
2021500828.tif 000006
【図４】
2021500828.tif 000007
【図５】
2021500828.tif 000008
【図６】
2021500828.tif 000009
【図７】
2021500828.tif 000010
【図８】
2021500828.tif 000011
【図９】
2021500828.tif 000012
【図１０】
2021500828.tif 000013
【図１１】
2021500828.tif 000014
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
ローミングハンドオフ方法であって、
中央制御デバイスによって、ステーションの位置及び変位ベクトルに基づいて少なくとも１つの対象の遠隔アクセスユニット（ＲＲＵ）を決定することと、
前記中央制御デバイスによって、前記少なくとも１つの対象のＲＲＵの指示情報を有するチャネル切り替え命令を原のＲＲＵへ送信することと、
前記中央制御デバイスによって、第１優先アクセス権リザベーション通知を、前記少なくとも１つの対象のＲＲＵのうちの１つである第１対象ＲＲＵへ送信することと、
前記中央制御デバイスによって、前記第１対象ＲＲＵによって送信された第１接続リクエストを受信することと、
前記中央制御デバイスによって、第１接続リターンコードを有する第１接続レスポンスを前記第１対象ＲＲＵへ送信することと
を有する方法。
【請求項２】
前記チャネル切り替え命令は、推奨チャネルのリストを有し、該推奨チャネルのリストは、前記少なくとも１つの対象のＲＲＵを優先順に有する、
請求項１に記載の方法。
【請求項３】
当該方法は、
前記中央制御デバイスによって、該中央制御デバイスが前記第１接続リクエストを受信しない場合に、第２優先アクセス権リザベーション通知を前記原のＲＲＵへ送信することと、
前記中央制御デバイスによって、前記原のＲＲＵによって送信された第２接続リクエストを受信することと、
前記中央制御デバイスによって、第２接続リターンコードを有する第２接続レスポンスを前記原のＲＲＵへ送信することと
を更に有する、
請求項１又は２に記載の方法。
【請求項４】
当該方法は、
前記中央制御デバイスによって、該中央制御デバイスが前記第２接続リクエストを受信しない場合に、第３優先アクセス権リザベーション通知を、前記少なくとも１つの対象のＲＲＵのうちの１つである第２対象ＲＲＵへ送信することと、
前記中央制御デバイスによって、前記第２対象ＲＲＵによって送信された第３接続リクエストを受信することと、
前記中央制御デバイスによって、第３接続リターンコードを有する第３接続レスポンスを前記第２対象ＲＲＵへ送信することと
を更に有する、
請求項３に記載の方法。
【請求項５】
前記中央制御デバイスによって、該中央制御デバイスが前記第１接続リクエストを受信しない場合に、第２優先アクセス権リザベーション通知を前記原のＲＲＵへ送信することは、
前記中央制御デバイスによって、該中央制御デバイスが前もって設定された存続期間内に前記第１接続リクエストを受信しない場合に、前記第２優先アクセス権リザベーション通知を前記原のＲＲＵへ送信することを有する、
請求項３に記載の方法。
【請求項６】
ローミングハンドオフ方法であって、
ステーションによって、原の遠隔アクセスユニット（ＲＲＵ）によって送信された、少なくとも１つの対象のＲＲＵの指示情報を有するチャネル切り替え命令を受信することと、
前記ステーションによって、前記チャネル切り替え命令に基づいて原動作チャネルから第１推奨チャネルへ切り替えることであり、前記原のＲＲＵは前記原動作チャネルに対応し、前記第１推奨チャネルは、前記少なくとも１つの対象のＲＲＵのうちの１つである第１対象ＲＲＵに対応する、前記切り替えることと、
前記ステーションによって、前記第１推奨チャネルを使用することによって、第１接続リクエストを前記第１対象ＲＲＵへ送信することと、
前記ステーションによって、前記第１推奨チャネルを使用することによって、前記第１対象ＲＲＵによって送信された、第１接続リターンコードを有する第１接続レスポンスを受信することと
を有する方法。
【請求項７】
前記チャネル切り替え命令は、推奨チャネルのリストを有し、該推奨チャネルのリストは、前記少なくとも１つの対象のＲＲＵを優先順に有する、
請求項６に記載の方法。
【請求項８】
当該方法は、
前記ステーションによって、該ステーションが、第１の前もって設定された存続期間内に、前記第１対象ＲＲＵによって送信された前記第１接続レスポンスを受信しないか、あるいは、接続が失敗することを前記第１接続リターンコードが示す場合に、前記第１推奨チャネルから前記原動作チャネルへ切り替えることと、
前記ステーションによって、前記原動作チャネルを使用することによって、第２接続リクエストを前記原のＲＲＵへ送信することと、
前記ステーションによって、前記原動作チャネルを使用することによって、前記原のＲＲＵによって送信された、第２接続リターンコードを有する第２接続レスポンスを受信することと
を更に有する、
請求項６又は７に記載の方法。
【請求項９】
当該方法は、
前記ステーションによって、該ステーションが、第２の前もって設定された存続期間内に、前記原のＲＲＵによって送信された前記第２接続レスポンスを受信しないか、あるいは、接続が失敗することを前記第２接続リターンコードが示す場合に、前記原動作チャネルから、前記少なくとも１つの対象のＲＲＵのうちの１つである第２対象ＲＲＵに対応する第２推奨チャネルへ切り替えることと、
前記ステーションによって、前記第２推奨チャネルを使用することによって、第３接続リクエストを前記第２対象ＲＲＵへ送信することと、
前記ステーションによって、前記第２推奨チャネルを使用することによって、前記第２対象ＲＲＵによって送信された、第３接続リターンコードを有する第３接続レスポンスを受信することと
を更に有する、
請求項８に記載の方法。
【請求項１０】
ステーションの位置及び変位ベクトルに基づいて少なくとも１つの対象の遠隔アクセスユニット（ＲＲＵ）を決定するよう構成される処理モジュールと、
前記少なくとも１つの対象のＲＲＵの指示情報を有するチャネル切り替え命令を原のＲＲＵへ送信し、第１優先アクセス権リザベーション通知を、前記少なくとも１つの対象のＲＲＵのうちの１つである第１対象ＲＲＵへ送信し、第１接続リターンコードを有する第１接続レスポンスを前記第１対象ＲＲＵへ送信するよう構成される送信モジュールと、
前記第１対象ＲＲＵによって送信された第１接続リクエストを受信するよう構成される受信モジュールと
を有する中央制御デバイス。
【請求項１１】
原の遠隔アクセスユニット（ＲＲＵ）によって送信された、少なくとも１つの対象のＲＲＵの指示情報を有するチャネル切り替え命令を受信し、前記少なくとも１つの対象のＲＲＵのうちの１つである第１対象ＲＲＵに対応する第１推奨チャネルを使用することによって、前記第１対象ＲＲＵによって送信された、第１接続リターンコードを有する第１接続レスポンスを受信するよう構成される受信モジュールと、
前記チャネル切り替え命令に基づいて原動作チャネルから前記第１推奨チャネルへ切り替えるよう構成される処理モジュールであり、前記原のＲＲＵは前記原動作チャネルに対応する、前記処理モジュールと、
前記第１推奨チャネルを使用することによって、第１接続リクエストを前記第１対象ＲＲＵへ送信するよう構成される送信モジュールと
を有するステーション。
【請求項１２】
中央制御デバイスであって、
当該中央制御デバイス以外の他の装置と通信するよう構成されるトランシーバと、
コンピュータ実行可能命令を記憶するよう構成されるメモリと、
バスを使用することによって前記メモリ及び前記トランシーバへ接続される１つ以上のプロセッサと
を有し、
前記プロセッサが前記メモリに記憶されている前記コンピュータ実行可能命令を実行する場合に、当該中央制御デバイスは、請求項１乃至５のうちいずれか一項に記載の方法を実行する、
中央制御デバイス。
【請求項１３】
ステーションであって、
当該ステーション以外の他の装置と通信するよう構成されるトランシーバと、
コンピュータ実行可能命令を記憶するよう構成されるメモリと、
バスを使用することによって前記メモリ及び前記トランシーバへ接続される１つ以上のプロセッサと
を有し、
前記プロセッサが前記メモリに記憶されている前記コンピュータ実行可能命令を実行する場合に、当該ステーションは、請求項６乃至９のうちいずれか一項に記載の方法を実行する、
ステーション。
【請求項１４】
命令を有し、該命令がコンピュータで実行される場合に、該コンピュータが請求項１乃至９のうちいずれか一項に記載の方法を実行する、
コンピュータ可読記憶媒体。
【請求項１５】
命令を有するコンピュータプログラムであって、
当該コンピュータプログラムがコンピュータで実行される場合に、該コンピュータが請求項１乃至９のうちいずれか一項に記載の方法を実行する、
コンピュータプログラム。
【手続補正２】
【補正対象書類名】明細書
【補正対象項目名】００１０
【補正方法】変更
【補正の内容】
【００１０】
任意に、本願のいくつかの実施形態で、方法は、中央制御デバイスによって、中央制御デバイスが第２接続要求を受信しない場合に、第３優先アクセス権リザベーション通知を、少なくとも１つの対象のＲＲＵのうちの１つである第２対象ＲＲＵへ送信することと、中央制御デバイスによって、第２対象ＲＲＵによって送信された第３接続要求を受信することと、中央制御デバイスによって、第３接続リターンコードを含む第３接続応答を前記第２対象ＲＲＵへ送信することとを更に含んでよい。
【手続補正３】
【補正対象書類名】明細書
【補正対象項目名】００１３
【補正方法】変更
【補正の内容】
【００１３】
本願の実施形態の第２の態様は、ローミングハンドオフ方法を提供し、方法は、ステーションによって、原の遠隔アクセスユニットＲＲＵによって送信された、少なくとも１つの対象のＲＲＵを有するチャネル切り替え命令を受信することと、ステーションによって、チャネル切り替え命令に基づいて原動作チャネルから第１推奨チャネルへ切り替えることであり、原のＲＲＵは原動作チャネルに対応し、第１推奨チャネルは、少なくとも１つの対象のＲＲＵのうちの１つである第１対象ＲＲＵに対応する、切り替えることと、ステーションによって、第１推奨チャネルを使用することによって、第１接続要求を第１対象ＲＲＵへ送信することと、ステーションによって、第１推奨チャネルを使用することによって、第１対象ＲＲＵによって送信された、第１接続リターンコードを含む第１接続応答を受信することとを含んでよい。
【手続補正４】
【補正対象書類名】明細書
【補正対象項目名】００１８
【補正方法】変更
【補正の内容】
【００１８】
任意に、本願のいくつかの実施形態で、方法は、ステーションによって、ステーションが、第２の前もって設定された存続期間内に、原のＲＲＵによって送信された第２接続応答を受信しないか、あるいは、接続が失敗することを第２接続リターンコードが示す場合に、原動作チャネルから、少なくとも１つの対象のＲＲＵのうちの１つである第２対象ＲＲＵに対応する第２推奨チャネルへ切り替えることと、ステーションによって、第２推奨チャネルを使用することによって、第３接続要求を第２対象ＲＲＵへ送信することと、ステーションによって、第２推奨チャネルを使用することによって、第２対象ＲＲＵによって送信された、第３接続リターンコードを含む第３接続応答を受信することとを更に含んでよい。
【手続補正５】
【補正対象書類名】明細書
【補正対象項目名】００２０
【補正方法】変更
【補正の内容】
【００２０】
本願の実施形態の更なる他の態様は、ローミングハンドオフ方法を提供し、方法は、遠隔アクセスユニットＲＲＵによって、中央制御デバイスによって送信された第１優先アクセス権リザベーション通知を受信することと、ＲＲＵによって、第１推奨チャネルを使用することによって、ステーションによって送信された第１接続要求を受信することと、ＲＲＵによって、第１優先アクセス権リザベーション通知に基づき第１接続要求を中央制御デバイスへ送信することと、ＲＲＵによって、中央制御デバイスによって送信された、第１接続リターンコードを含む第１接続応答を受信することと、前記ＲＲＵによって、前記第１推奨チャネルを使用することによって、第１接続応答を前記ステーションへ送信することとを含んでよい。
【手続補正６】
【補正対象書類名】明細書
【補正対象項目名】００７５
【補正方法】変更
【補正の内容】
【００７５】
ＳＴＡが、第２タイマがタイムアウトした後に、中央制御デバイスによって送信された第２接続応答フレーム（ＲＥＡＳＳＯＣ  ＡＣＫ  ２）を受信しないか、あるいは、受信された第２接続応答フレームが、接続が失敗することを示す場合には、ＳＴＡは、第３動作チャネルへ切り替えてよい。
【手続補正７】
【補正対象書類名】明細書
【補正対象項目名】０１１２
【補正方法】変更
【補正の内容】
【０１１２】
第２接続要求フレーム（ＲＥＡＳＳＯＣ  ２）を受信した後、中央制御デバイスは、第１タイマ（Ｔｉｍｅｒ  １）をクリアし、そして、第２接続応答フレーム（ＲＥＡＳＳＯＣ  ＡＣＫ  ２）メッセージによりＳＴＡに応答するように第２推奨ＲＲＵを制御してよい。第２接続応答フレームは第２接続リターンコードを含む。第２接続応答を受信した後、第２推奨ＲＲＵは、第２推奨チャネルを使用することによって、優先アクセス権リザベーション通知に基づいて第２接続応答をＳＴＡへ優先的に転送する。
【手続補正８】
【補正対象書類名】明細書
【補正対象項目名】０１３０
【補正方法】変更
【補正の内容】
【０１３０】
任意に、本願のいくつかの実施形態で、
送信モジュール８０２は、中央制御デバイスが第２接続要求を受信しない場合に、第３優先アクセス権リザベーション通知を、少なくとも１つの対象のＲＲＵのうちの１つである第２対象ＲＲＵへ送信し、第３接続リターンコードを含む第３接続応答を第２対象ＲＲＵへ送信するよう更に構成され、
受信モジュール８０３は、第２対象ＲＲＵによって送信された第３接続要求を受信するよう更に構成される。
【手続補正９】
【補正対象書類名】明細書
【補正対象項目名】０１３２
【補正方法】変更
【補正の内容】
【０１３２】
図９は、本願の実施形態に従うステーションの実施形態の概略図であり、ステーションは、次のモジュール：
原の遠隔アクセスユニットＲＲＵによって送信された、少なくとも１つの対象のＲＲＵの指示情報を含むチャネル切り替え命令を受信し、第１対象ＲＲＵによって送信された、第１接続リターンコードを含む第１接続応答を受信するよう構成される受信モジュール９０１と、
チャネル切り替え命令に基づいて原動作チャネルから第１推奨チャネルへ切り替えるよう構成される処理モジュール９０２であり、原のＲＲＵは原動作チャネルに対応し、第１推奨チャネルは第１対象ＲＲＵに対応する、処理モジュール９０２と、
第１推奨チャネルを使用することによって、第１接続要求を、少なくとも１つの対象のＲＲＵのうちの１つである第１対象ＲＲＵへ送信するよう構成される送信モジュール９０３と
を含む。
【手続補正１０】
【補正対象書類名】明細書
【補正対象項目名】０１３５
【補正方法】変更
【補正の内容】
【０１３５】
任意に、本願のいくつかの実施形態で、
処理モジュール９０２は、ステーションが、第２の前もって設定された存続期間内に、原のＲＲＵによって送信された第２接続応答を受信しないか、あるいは、接続が失敗することを第２接続リターンコードが示す場合に、原動作チャネルから、少なくとも１つの対象のＲＲＵのうちの１つである第２対象ＲＲＵに対応する第２推奨チャネルへ切り替えるよう更に構成され、
送信モジュール９０３は、第２推奨チャネルを使用することによって、第３接続要求を第２対象ＲＲＵへ送信するよう更に構成され、
受信モジュール９０１は、第２推奨チャネルを使用することによって、第２対象ＲＲＵによって送信された、第３接続リターンコードを含む第３接続応答を受信するよう更に構成される。
【手続補正１１】
【補正対象書類名】明細書
【補正対象項目名】０１３７
【補正方法】変更
【補正の内容】
【０１３７】
トランシーバ１００１は、少なくとも１つの対象のＲＲＵの指示情報を含むチャネル切り替え命令を原のＲＲＵへ送信し、第１優先アクセス権リザベーション通知を、少なくとも１つの対象のＲＲＵのうちの１つである第１対象ＲＲＵへ送信し、第１対象ＲＲＵによって送信された第１接続要求を受信し、第１接続リターンコードを含む有する第１接続応答を第１対象ＲＲＵへ送信するよう構成される。
【手続補正１２】
【補正対象書類名】明細書
【補正対象項目名】０１４１
【補正方法】変更
【補正の内容】
【０１４１】
任意に、本願のいくつかの実施形態で、
トランシーバ１００１は、中央制御デバイスが第２接続要求を受信しない場合に、第３優先アクセス権リザベーション通知を、少なくとも１つの対象のＲＲＵのうちの１つである第２対象ＲＲＵへ送信し、２対象ＲＲＵによって送信された第３接続要求を受信し、第３接続リターンコードを含む第３接続応答を第２対象ＲＲＵへ送信するよう更に構成される。
【手続補正１３】
【補正対象書類名】明細書
【補正対象項目名】０１４５
【補正方法】変更
【補正の内容】
【０１４５】
ＲＦ回路１１１０は、情報送信及び受信プロセス又はコールプロセスにおいて信号を送信及び受信するよう構成されてよい。特に、ＲＦ回路１１００は、基地局からダウンリンク情報を受信し、次いで、ダウンリンク情報を処理のためにプロセッサ１１８０へ送信する。その上、ＲＦ回路１１１０は、アップリンクデータを基地局へ送信する。通常、ＲＦ回路１１１０は、アンテナ、少なくとも１つの増幅器、トランシーバ、カプラ、低雑音増幅器（low  noise  amplifier，ＬＮＡ）、デュプレクサなどを含むが限られない。その上、ＲＦ回路１１１０は、ワイヤレス通信を通じてネットワーク及び他のデバイスと更に通信してもよい。ワイヤレス通信は、グローバル・システム・フォー・モバイル・コミュニケーションズ（global  system  for  mobile  communications，ＧＳＭ）、汎用パケット無線サービス（general  packet  radio  service，ＧＰＲＳ）、符号分割多重アクセス（code  division  multiple  access，ＣＤＭＡ）、広帯域符号分割多重アクセス（wideband  code  division  multiple  access，ＷＣＤＭＡ）、ロング・ターム・エボリューション（long  term  evolution，ＬＴＥ）、電子メール、ショート・メッセージ・サービス（short  messaging  service，ＳＭＳ）、などを含むがこれらに限られない如何なる通信標準又はプロトコルも使用してよい。
【手続補正１４】
【補正対象書類名】明細書
【補正対象項目名】０１５５
【補正方法】変更
【補正の内容】
【０１５５】
本願のこの実施形態で、ＲＦ回路１１１０は、原の遠隔アクセスユニットＲＲＵによって送信された、少なくとも１つの対象のＲＲＵの指示情報を含むチャネル切り替え命令を受信し、第１推奨チャネルを使用することによって、第１接続要求を、少なくとも１つの対象のＲＲＵのうちの１つである第１対象ＲＲＵへ送信し、第１推奨チャネルを使用することによって、第１対象ＲＲＵによって送信された、第１接続リターンコードを含む第１接続応答を受信するよう更に構成される。
【手続補正１５】
【補正対象書類名】明細書
【補正対象項目名】０１６０
【補正方法】変更
【補正の内容】
【０１６０】
任意に、本願のいくつかの実施形態で、
プロセッサ１１８０は、ステーションが、第２の前もって設定された存続期間内に、原のＲＲＵによって送信された第２接続応答を受信しないか、あるいは、接続が失敗することを第２接続リターンコードが示す場合に、原動作チャネルから、少なくとも１つの対象のＲＲＵのうちの１つである第２対象ＲＲＵに対応する第２推奨チャネルへ切り替えるよう更に構成される。
【手続補正１６】
【補正対象書類名】明細書
【補正対象項目名】０１６１
【補正方法】変更
【補正の内容】
【０１６１】
ＲＦ回路１１１０は、第２推奨チャネルを使用することによって、第３接続要求を第２対象ＲＲＵへ送信し、且つ、第２推奨チャネルを使用することによって、第２対象ＲＲＵによって送信された、第３接続リターンコードを含む第３接続応答を受信するよう更に構成される。
【国際調査報告】
2021500828.tif 000015
2021500828.tif 000016
2021500828.tif 000017
2021500828.tif 000018